(57)【要約】  異なる無線プロトコルを使用して、複数のネットワークを介してデータフローをシームレスにサポートするための方法が提供される。その方法は、第１の無線プロトコルを使用してワイアレスリンクを介してデータフローをサポートすること、１つ又は複数のパラメータに基づいてデータフロー用の第２の無線プロトコルを動作可能にすること、ワイアレスリンクを介してデータフローを維持しながらワイアレスリンクを介してデータフローをサポートするために第１の無線プロトコルもしくは第２の無線プロトコルの少なくとも１つを選択すること、および第１の無線プロトコルもしくは第２の無線プロトコルの選択された少なくとも１つを使用してワイアレスリンクを介してデータフローを通信することを含み得る。
2013511901.tif 000002
【特許請求の範囲】
【請求項１】
ワイアレス通信の方法であって、前記方法は、
第１の無線プロトコルを使用してワイアレスリンクを介してデータフローをサポートすることと、
１つ又は複数のパラメータに基づいて、前記データフロー用の第２の無線プロトコルを動作可能にすることと、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択することと、
前記第１の無線プロトコルもしくは前記第２の無線プロトコルの前記選択された少なくとも１つを使用して前記ワイアレスリンクを介して前記データフローを通信することと
を備える方法。
【請求項２】
前記データフローの前記通信が前記第１の無線プロトコルおよび前記第２の無線プロトコルの両方を使用することを備える請求項１に記載の方法。
【請求項３】
前記第２の無線プロトコルを動作可能にすることが、前記第２の無線プロトコルを使用して通信パスを確立するためにビームトレーニングを実行することを備える請求項１に記載の方法。
【請求項４】
前記１つ又は複数のパラメータが、
前記第１の無線プロトコルもしくは前記第２の無線プロトコルの少なくとも１つと関連する少なくとも１つの周波数のための無線リンク品質、
前記第１の無線プロトコルによってサポートされるネットワークもしくは前記第２の無線プロトコルによってサポートされるネットワークの少なくとも１つのためのネットワークローディング、
前記第１の無線プロトコルもしくは前記第２の無線プロトコルの少なくとも１つと関連するサービス品質、もしくは、
前記第１の無線プロトコルもしくは前記第２の無線プロトコルの少なくとも１つと関連する少なくとも１つの周波数のための往復遅延時間
の少なくとも１つを備える請求項１に記載の方法。
【請求項５】
前記サービス品質が、遅延値、データレート値、もしくはエラーレート値の少なくとも１つを備える請求項４に記載の方法。
【請求項６】
前記往復遅延時間が送信要求メッセージの出発時間および送信可メッセージの到着時間を使用して測定される請求項４に記載の方法。
【請求項７】
前記往復遅延時間がプローブメッセージの出発および肯定応答メッセージの到着時間を使用して測定される請求項４に記載の方法。
【請求項８】
前記第２の無線プロトコルを前記動作可能にすることが、
前記第２の無線プロトコル用の前記１つ又は複数のパラメータの少なくとも１つを前記第１の無線プロトコル用の対応するパラメータと比較することと、
前記第２の無線プロトコル用の前記１つ又は複数のパラメータの前記少なくとも１つが、前記第１の無線プロトコル用の前記対応するパラメータ以上である場合にしきい値によって前記第２の無線プロトコルを動作可能にすることと
を備える請求項１に記載の方法。
【請求項９】
前記データフローの前記通信が前記動作可能にされた第２の無線プロトコルを使用して前記ワイアレスリンクを介して前記データフローを通信することをさらに備える請求項８に記載の方法。
【請求項１０】
前記第２の無線プロトコルを前記動作可能にすることが、
前記第２の無線プロトコル用の前記１つ又は複数のパラメータの少なくとも１つをしきい値と比較することと、
前記第２の無線プロトコル用の前記１つ又は複数のパラメータの前記少なくとも１つが前記しきい値以上である場合に前記第２の無線プロトコルを動作可能にすることと
を備える請求項１に記載の方法。
【請求項１１】
前記データフローの前記通信が、前記動作可能にされた第２の無線プロトコルを使用して前記ワイアレスリンクを介して前記データフローを通信することをさらに備える請求項１０に記載の方法。
【請求項１２】
前記第２の無線プロトコルを前記動作可能にすることが、
前記第１の無線プロトコル用の前記１つ又は複数のパラメータの少なくとも１つをしきい値と比較することと、
前記第１の無線プロトコル用の前記１つ又は複数のパラメータの前記少なくとも１つが前記しきい値よりも少ない場合に前記第２の無線プロトコルを動作可能にすることと
を備える請求項１に記載の方法。
【請求項１３】
前記データフローの前記通信が前記動作可能にされた第２の無線プロトコルを使用して前記ワイアレスリンクを介して前記データフローを通信することをさらに備える請求項１２に記載の方法。
【請求項１４】
前記第２の無線プロトコルが、前記第１の無線プロトコルよりも高いデータレートをサポートすることができる請求項１に記載の方法。
【請求項１５】
前記第１のプロトコルもしくは前記第２の無線プロトコルの少なくとも１つが、
少なくとも６０ＧＨｚの周波数帯域内での動作用のワイアレスネットワークプロトコル、
ワイアレスローカルエリアネットワークをベースとしたプロトコル、
セルラーネットワークプロトコル、
Ｂｌｕｅｔｏｏｔｈプロトコル、もしくは
ＩＥＥＥ８０２．１１プロトコル
の少なくとも１つを備える請求項１に記載の方法。
【請求項１６】
第１の無線プロトコルを使用してワイアレスリンクを介してデータフローをサポートするように、
１つ又は複数のパラメータに基づいて、前記データフロー用の第２の無線プロトコルを動作可能にするように、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するように、
前記第１の無線プロトコルもしくは前記第２の無線プロトコルの前記選択された少なくとも１つを使用して前記ワイアレスリンクを介して前記データフローを通信するように
実行可能なコードを備えるコンピュータ読み取り可能媒体
を備えるコンピュータプログラム製品。
【請求項１７】
第１の無線プロトコルを使用してワイアレスリンクを介してデータフローをサポートするための手段と、
１つ又は複数のパラメータに基づいて、前記データフロー用の第２の無線プロトコルを動作可能にするための手段と、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するための手段と、
前記第１の無線プロトコルもしくは前記第２の無線プロトコルの前記選択された少なくとも１つを使用して前記ワイアレスリンクを介して前記データフローを通信するための手段と
を備えるワイアレス通信用の装置。
【請求項１８】
通信するための前記手段が前記第１の無線プロトコルおよび前記第２の無線プロトコルの両方を使用するための手段をさらに備える請求項１７に記載の装置。
【請求項１９】
動作可能にするための手段が、前記第２の無線プロトコルを使用して通信パスを確立するためにビームトレーニングを実行するための手段をさらに備える請求項１７に記載の装置。
【請求項２０】
前記１つ又は複数のパラメータが、
前記第１の無線プロトコルもしくは前記第２の無線プロトコルの少なくとも１つと関連する少なくとも１つの周波数のための無線リンク品質、
前記第１の無線プロトコルによってサポートされるネットワークもしくは前記第２の無線プロトコルによってサポートされるネットワークの少なくとも１つのためのネットワークローディング、
前記第１の無線プロトコルもしくは前記第２の無線プロトコルの少なくとも１つと関連するサービス品質、もしくは、
前記第１の無線プロトコルもしくは前記第２の無線プロトコルの少なくとも１つと関連する少なくとも１つの周波数のための往復遅延時間
の少なくとも１つを備える請求項１７に記載の装置。
【請求項２１】
前記サービス品質が、遅延値、データレート値、もしくはエラーレート値の少なくとも１つを備える請求項２０に記載の装置。
【請求項２２】
前記往復遅延時間が、送信要求メッセージの出発時間および送信可メッセージの到着時間を使用して測定される請求項２０に記載の装置。
【請求項２３】
前記往復遅延時間が、プローブメッセージの出発および肯定応答メッセージの到着時間を使用して測定される請求項２０に記載の装置。
【請求項２４】
動作可能にするための前記手段が、
前記第２の無線プロトコル用の前記１つ又は複数のパラメータの少なくとも１つを前記第１の無線プロトコル用の対応するパラメータと比較するための手段と、
前記第２の無線プロトコル用の前記１つ又は複数のパラメータの前記少なくとも１つが、前記第１の無線プロトコル用の前記対応するパラメータ以上である場合にしきい値によって前記第２の無線プロトコルを動作可能にするための手段
をさらに備える請求項１７に記載の装置。
【請求項２５】
通信するための前記手段が、前記動作可能にされた第２の無線プロトコルを使用して前記ワイアレスリンクを介して前記データフローを通信するための手段をさらに備える請求項２４に記載の装置。
【請求項２６】
動作可能にするための前記手段が、
前記第２の無線プロトコル用の前記１つ又は複数のパラメータの少なくとも１つをしきい値と比較するための手段と、
前記第２の無線プロトコル用の前記１つ又は複数のパラメータの前記少なくとも１つが前記しきい値以上である場合に前記第２の無線プロトコルを動作可能にするための手段と
をさらに備える請求項１７に記載の装置。
【請求項２７】
通信するための前記手段が、前記動作可能にされた第２の無線プロトコルを使用して前記ワイアレスリンクを介して前記データフローを通信するための手段をさらに備える請求項２６に記載の装置。
【請求項２８】
動作可能にするための前記手段が、
前記第１の無線プロトコル用の前記１つ又は複数のパラメータの少なくとも１つをしきい値と比較するための手段と、
前記第１の無線プロトコル用の前記１つ又は複数のパラメータの前記少なくとも１つが前記しきい値よりも少ない場合に前記第２の無線プロトコルを動作可能にするための手段と
をさらに備える請求項１７に記載の装置。
【請求項２９】
通信するための前記手段が、前記動作可能にされた第２の無線プロトコルを使用して前記ワイアレスリンクを介して前記データフローを通信するための手段をさらに備える請求項２８に記載の装置。
【請求項３０】
前記第２の無線プロトコルが前記第１の無線プロトコルよりも高いデータレートをサポートすることができる請求項１７に記載の装置。
【請求項３１】
前記第１のプロトコルもしくは前記第２の無線プロトコルの少なくとも１つが、
少なくとも６０ＧＨｚの周波数帯域での動作用のワイアレスネットワークプロトコル、
ワイアレスローカルエリアネットワークをベースとしたプロトコル、
セルラーネットワークプロトコル、
Ｂｌｕｅｔｏｏｔｈプロトコル、もしくは、
ＩＥＥＥ８０２．１１プロトコル
の少なくとも１つを備える請求項１７に記載の装置。
【請求項３２】
アンテナと、
第１の無線プロトコルを使用してワイアレスリンクを介してデータフローをサポートするように、
１つ又は複数のパラメータに基づいて、前記データフロー用の第２の無線プロトコルを動作可能にするように、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するように、
構成され、前記アンテナに連結される処理システムと、
前記第１の無線プロトコルもしくは前記第２の無線プロトコルの前記選択された少なくとも１つを使用して前記ワイアレスリンクを介して前記データフローを通信するように
構成された送信機と
を備える局。
【請求項３３】
第１の無線プロトコルを使用してワイアレスリンクを介してデータフローをサポートするように、
１つ又は複数のパラメータに基づいて、前記データフロー用の第２の無線プロトコルを動作可能にするように、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するように
構成された処理システムと、
前記第１の無線プロトコルもしくは前記第２の無線プロトコルの前記選択された少なくとも１つを使用して前記ワイアレスリンクを介して前記データフローを通信するように
構成された送信機と
を備えるワイアレス通信用の装置。
【請求項３４】
前記処理システムが前記第１の無線プロトコルおよび前記第２の無線プロトコルの両方を使用するように構成される請求項３３に記載の装置。
【請求項３５】
前記処理システムが前記第２の無線プロトコルを使用して通信パスを確立するためにビームトレーニングを実行するように構成される請求項３３に記載の装置。
【請求項３６】
前記１つ又は複数のパラメータが、
前記第１の無線プロトコルもしくは前記第２の無線プロトコルの少なくとも１つと関連する少なくとも１つの周波数のための無線リンク品質、
前記第１の無線プロトコルによってサポートされるネットワークもしくは前記第２の無線プロトコルによってサポートされるネットワークの少なくとも１つのためのネットワークローディング、
前記第１の無線プロトコルもしくは前記第２の無線プロトコルの少なくとも１つと関連するサービス品質、もしくは、
前記第１の無線プロトコルもしくは前記第２の無線プロトコルの少なくとも１つと関連する少なくとも１つの周波数のための往復遅延時間
の少なくとも１つを備える請求項３３に記載の装置。
【請求項３７】
前記サービス品質が、遅延値、データレート値、もしくはエラーレート値の少なくとも１つを備える請求項３６に記載の装置。
【請求項３８】
前記往復遅延時間が送信要求メッセージの出発時間および送信可メッセージの到着時間を使用して測定される請求項３６に記載の装置。
【請求項３９】
前記往復遅延時間が、プローブメッセージの出発および肯定応答メッセージの到着時間を使用して測定される請求項３６に記載の方法。
【請求項４０】
前記処理システムが、
前記第２の無線プロトコル用の前記１つ又は複数のパラメータの少なくとも１つを前記第１の無線プロトコル用の対応するパラメータと比較するように、
前記第２の無線プロトコル用の前記１つ又は複数の前記少なくとも１つが、前記第１の無線プロトコル用の前記対応するパラメータ以上である場合にしきい値によって前記第２の無線プロトコルを動作可能にするように
構成される請求項３３に記載の装置。
【請求項４１】
前記送信機が、前記動作可能にされた第２の無線プロトコルを使用して前記ワイアレスリンクを介して前記データフローを通信するようにさらに構成される請求項４０に記載の装置。
【請求項４２】
前記処理システムが、
前記第２の無線プロトコル用の前記１つ又は複数のパラメータの少なくとも１つをしきい値と比較するように、
前記第２の無線プロトコル用の前記１つ又は複数のパラメータの前記少なくとも１つが前記しきい値以上である場合に前記第２の無線プロトコルを動作可能にするように
構成される請求項３３に記載の装置。
【請求項４３】
前記送信機が、前記動作可能された第２の無線プロトコルを使用して前記ワイアレスリンクを介して前記データフローを通信するようにさらに構成される請求項４２に記載の装置。
【請求項４４】
前記処理システムが、
前記第１の無線プロトコル用の前記１つ又は複数のパラメータの少なくとも１つをしきい値と比較するように、
前記第１の無線プロトコル用の前記１つ又は複数のパラメータの前記少なくとも１つが前記しきい値よりも少ない場合に前記第２の無線プロトコルを動作可能にするように構成される請求項３３に記載の装置。
【請求項４５】
前記送信機が、前記動作可能にされた第２の無線プロトコルを使用して前記ワイアレスリンクを介して前記データフローを通信するようにさらに構成される請求項４４に記載の装置。
【請求項４６】
前記第２の無線プロトコルが、前記第１の無線プロトコルよりも高いデータレートをサポートすることができる請求項３３に記載の装置。
【請求項４７】
前記第１のプロトコルもしくは前記第２の無線プロトコルの少なくとも１つが、
少なくとも６０ＧＨｚの周波数帯域内での動作用のワイアレスネットワークプロトコル、
ワイアレスローカルエリアネットワークをベースとしたプロトコル、
セルラーネットワークプロトコル、
Ｂｌｕｅｔｏｏｔｈプロトコル、もしくは、
ＩＥＥＥ８０２．１１プロトコル
の少なくとも１つを備える請求項３３に記載の装置。
【発明の詳細な説明】
【（１つもしくは複数の）関連する出願への相互参照】
【０００１】
本特許出願は、２００９年１１月１９日に出願され、代理人整理番号１００３０９Ｐ１を付与された、「ＭＥＴＨＯＤＳ  ＡＮＤ  ＡＰＰＡＲＡＴＵＳ  ＦＯＲ  ＳＵＰＰＯＲＴＩＮＧ  ＤＡＴＡ  ＦＬＯＷＳ  ＯＶＥＲ  ＭＵＬＴＩＰＬＥ  ＲＡＤＩＯ  ＰＲＯＴＯＣＯＬＳ」という名称の仮出願第６１／２６２，８３５、および２０１０年２月１日に出願され、代理人整理番号１００３０９Ｐ２を付与された、「ＭＥＴＨＯＤＳ  ＡＮＤ  ＡＰＰＡＲＡＴＵＳ  ＦＯＲ  ＳＵＰＰＯＲＴＩＮＧ  ＤＡＴＡ  ＦＬＯＷＳ  ＯＶＥＲ  ＭＵＬＴＩＰＬＥ  ＲＡＤＩＯ  ＰＲＯＴＯＣＯＬＳ」という名称の仮出願第６１／３００，２１３に優先権を主張し、その内容は参照により本明細書に明示的に組み込まれている。
【発明の分野】
【０００２】
本開示は概して通信システムに、さらに具体的には、異なる無線プロトコルを使用して複数のネットワークを介してデータフローをシームレスにサポートすることに関する。
【関連する背景技術】
【０００３】
ワイアレス通信システムに要求される帯域幅の要件が増加している問題に取り組むために、異なるスキームが、高いデータスループットを獲得しながらチャネルリソースを共有することによって複数のユーザ端末が通信することが可能になるように開発されている。多入力多出力（ＭＩＭＯ）技術は、次世代通信システム用の人気の技法として昨今登場してき１つのそのような手法を示す。ＭＩＭＯ技術は、米国電子電気学会（ＩＥＥＥ）８０２．１１標準規格のようないくつかの新興のワイアレス通信標準規格で採用されてきている。ＩＥＥＥ８０２．１１は、短距離通信（例えば、数十メートルから数百メートルまで）用にＩＥＥＥ８０２．１１委員会によって開発された１組の無線ローカルエリアネットワーク（ＷＬＡＮ）のエアインタフェース標準規格を示す。例えば、８０２．１１ａｄ／ａｃ／ａ／ｂ／ｇ／ｎ。
【０００４】
概して、ＩＥＥＥ８０２．１１標準規格によって規定されたワイアレス通信システムは、局（ＳＴＡｓ）とも呼ばれる、異なるデバイス間の通信を管理するポイント調整機能（ＰＣＦ）／アクセスポイント（ＡＰ）のような中心的エンティティを有する。中心的エンティティを有することは通信プロトコルの設計を簡略化し得る。さらには、ビーコン信号を送信することができるいずれのデバイスもＡＰとしての役目を務め得るけれども、ＡＰが効率的であるためにはそれはネットワーク内の全てのＳＴＡｓに対して良いリンク品質を有していなければならないこともある。信号の減衰が比較的厳しい可能性がある高い周波数で、通信は本質的に指向性があり得、ゲインを増加させるためにビームフォーミング（例えば、ビームトレーニング）を使用し得る。よって、ＡＰは効率的であるために以下の責務を階層化し得る。ＡＰは大きなセクタ範囲（例えば、広いステアリング能力）を有し得る。ＡＰは大きなビームフォーミングゲイン（例えば、複数アンテナ）を有し得る。ＡＰは、見通し線(line of sight)の経路が、ネットワークのほとんどのエリアに存在するように、例えば天井に設置され得る。ＡＰは、周期的なビーコン送信および他の管理機能のために一定の電源を使用し得る。
【０００５】
移動ワイアレス通信デバイス（ＷＣＤ）（例えば、ラップトップ、スマートフォンなど）は、コスト、電力、形態のファクタなどのようなファクタのために従来のＡＰのものに比べて比較的減少された能力を有し得る。例えば、アンテナのステアリング能力は小さなセクタ範囲に限定され得たり、利用可能な電力は限定され得たり、位置は不定であり得たりなどする。たとえこれらの限定を伴ったとしてもＷＣＤｓは、サイドローディング、ファイル共有などのような様々な目的のためにピアツーピアのネットワークを形成するためにＡＰｓとして機能することが要求され得る。
【０００６】
いくつかのワイアレス通信システムにおいてＷＣＤｓは、例えば６０ＧＨｚトランシーバ、２．４ＧＨｚトランシーバ、５ＧＨｚトランシーバなどの異なる周波数トランシーバを有するマルチモード無線機が装備され得る。マルチモード無線機を有するＷＣＤは、これらのモードを使用し、複数のモード間で通信セッションを転送することができることがある。以下でさらに詳しく論述されるようにシステムおよび／もしくは方法は、マルチモード無線機を用いてネットワーク内の複数の周波数帯域の間でセッション転送を可能にするために使用され得る。
【発明の概要】
【０００７】
以下は、１つ又は複数の態様の基本的な理解を提供するためにそのような態様の簡略化された概要を示す。この概要は、全ての熟考された態様の広範囲に渡る概観ではなく、全ての態様のキーとなるもしくは決定的な要素を明らかにすることも、いずれかのもしくは全ての態様の範囲を描くこともしないように意図されている。その唯一の目的は、後に示されるより詳細な説明への導入として簡略化された形態で１つ又は複数の態様のいくつかの概念を示すことである。
【０００８】
１つ又は複数の態様およびその対応する開示に従って様々な態様が、異なる無線プロトコルを使用して複数のネットワークを介してデータフローをシームレスにサポートすることに関係して説明される。ある態様に従って、異なる無線プロトコルを使用して複数のネットワークを介してデータフローをシームレスにサポートするための方法が提供される。その方法は第１の無線プロトコルを使用してワイアレスリンクを介してデータフローをサポートすることを備えることができる。さらにその方法は１つ又は複数のパラメータに基づいてデータフロー用の第２の無線プロトコルを動作可能にすることを備えることができる。まだその上にその方法は、ワイアレスリンクを介してデータフローを維持しながらワイアレスリンクを介してデータフローをサポートするために第１の無線プロトコルもしくは第２の無線プロトコルの少なくとも１つを選択することを備えることができる。さらには、その方法は、第１の無線プロトコルもしくは第２の無線プロトコルの選択された少なくとも１つを使用してワイアレスリンクを介してデータフローを通信することを備えることができる。
【０００９】
別の態様は、コンピュータ読み取り可能媒体を備えるコンピュータプログラム製品に関する。コンピュータ読み取り可能媒体は、第１の無線プロトコルを使用してワイアレスリンクを介してデータフローをサポートするように実行可能なコードを備える。さらにコンピュータ読み取り可能媒体は、１つ又は複数のパラメータに基づいて、データフロー用の第２の無線プロトコルを動作可能にするように実行可能なコードを備える。まだその上、コンピュータ読み取り可能媒体は、ワイアレスリンクを介してデータフローを維持しながらワイアレスリンクを介してデータフローをサポートするために第１の無線プロトコルもしくは第２の無線プロトコルの少なくとも１つを選択するように実行可能なコードを備える。さらには、コンピュータ読み取り可能媒体は、第１の無線プロトコルもしくは第２の無線プロトコルの選択された少なくとも１つを使用して、ワイアレスリンクを介してデータフローを通信するように実行可能なコードを備える。
【００１０】
さらに別の態様は装置に関する。その装置は、第１の無線プロトコルを使用してワイアレスリンクを介してデータフローをサポートするための手段を備えることができる。さらにその装置は、１つ又は複数のパラメータに基づいて、データフロー用の第２の無線プロトコルを動作可能にするための手段を備えることができる。まだその上その装置は、ワイアレスリンクを介してデータフローを維持しながらワイアレスリンクを介してデータフローをサポートするために第１の無線プロトコルもしくは第２の無線プロトコルの少なくとも１つを選択するための手段を備えることができる。さらには、その装置は、第１の無線プロトコルもしくは第２の無線プロトコルの選択された少なくとも１つを使用してワイアレスリンクを介してデータフローを通信するための手段を備えることができる。
【００１１】
別の態様は局に関する。その局はアンテナを含むことができる。さらにその局は、第１の無線プロトコルを使用してワイアレスリンクを介してデータフローをサポートするように、１つ又は複数のパラメータに基づいてデータフロー用の第２の無線プロトコルを動作可能にするように、ワイアレスリンクを介してデータフローを維持しながらワイアレスリンクを介してデータフローをサポートするために第１の無線プロトコルもしくは第２の無線プロトコルの少なくとも１つを選択するように、ならびに第１の無線プロトコルもしくは第２の無線プロトコルの選択された少なくとも１つを使用してワイアレスリンクを介してデータフローを通信するように構成され、アンテナに連結される処理システムを含むことができる。
【００１２】
別の態様は装置に関する。その装置は、第１の無線プロトコルを使用してワイアレスリンクを介してデータフローをサポートするように、１つ又は複数のパラメータに基づいてデータフロー用の第２の無線プロトコルを動作可能にするように、ワイアレスリンクを介してデータフローを維持しながらワイアレスリンクを介してデータフローをサポートするために第１の無線プロトコルもしくは第２の無線プロトコルの少なくとも１つを選択するように構成された処理システム、および第１の無線プロトコルもしくは第２の無線プロトコルの選択された少なくとも１つを使用してワイアレスリンクを介してデータフローを通信するように構成された送信機を含むことができる。
【００１３】
前記のおよび関連する目的の達成のために、１つ又は複数の態様は、以下で十分に説明され、具体的に特許請求の範囲で指摘される特徴を備える。以下の説明および添付の図面は１つ又は複数の態様のある種の例示的な特徴を詳細に記述する。しかしながらこれらの特徴は、様々な態様の本質が用いられ得る様々な方法のわずかばかりの例を示し、この説明は全てのそのような態様およびそれらの均等物を含むように意図されている。
【図面の簡単な説明】
【００１４】
【図１】態様に従った通信ネットワークのブロック図。
【図２】全方向通信ネットワークを使用して指向性通信ネットワークの発見を支援すること描く通信ネットワークの態様のフローチャート。
【図３】態様に従ったＭＡＣ層およびＰＨＹ層を含む複数の層のブロック図。
【図４】ワイアレス通信デバイスのブロック図の例示的なアーキテクチャ。
【図５】ワイアレスノードの別のブロック図の例示的なアーキテクチャ。
【図６】ワイアレスノード内の処理システム用のハードウェア構成の例を例示する概観図。
【図７】例示的な装置の機能性を例示する概観的ブロック図。
【詳細な説明】
【００１５】
本発明のこれらの、および他の見本の態様は以下に続く詳細な説明の中で、および添付の図面の中で説明されることになる。
【００１６】
共通の慣行に従って、いくつかの図面は明快さのために簡略化され得る。従って、図面は所与の装置（例えば、デバイス）もしくは方法の全てのコンポーネントを描くとは限らない場合がある。最後に同じ参照番号は、明細書および図全体を通して同じ特徴を示すために使用され得る。
【００１７】
方法および装置の様々な態様が添付の図面を参照して以下でより十分に説明される。しかしながら、これらの方法および装置は多くの異なる形態で具現化され得、本開示全体を通して示される任意の特定の構造もしくは機能に限定されるとして解釈されるべきではない。むしろこれらの態様は、本開示が徹底的および完全になるように、ならびに当業者にこれらの方法および装置の範囲を十分に伝えることになるように提供される。
【００１８】
本明細書の説明および教示に基づいて、本開示の範囲が本開示の任意の他の態様と組み合わされようとも独立して実行されようとも、本明細書で開示される方法および装置の任意の態様をカバーするように意図されていることを当業者は認識すべきである。例えば、本明細書で記述される任意の数の態様を使用して装置は実装され得、もしくは方法は実行され得る。加えて本開示の範囲は、本明細書で記述される本開示の様々な態様の他に、もしくは様々な態様に加えて、他の構造、機能性、もしくは構造および機能性を使用して実行されるそのよう装置もしくは方法をカバーするように意図されている。本明細書の開示の任意の態様は請求項の１つ又は複数の要素によって具現化され得ることは理解されるべきである。
【００１９】
ワイアレスネットワークのいくつかの態様はこれから、図１を参照して示されることになる。ワイアレス通信システム１００は、概してＷＬＡＮデバイス、基地局などである、ワイアレスネットワークデバイス１２０と、アクセス端末１１０および１３０として概して称されるいくつかのワイアレスアクセス端末とを有して示され、ここではいくつかのアクセス端末１１０、１３０は複数のネットワーク１１２、１２２と関連する複数のプロトコル１１８、１２４を使用して通信し得る。本明細書で使用されるように、ワイアレスノード１１０、１３０はＷＣＤ、ユーザ装置（ＵＥ）、ラップトップなどとして表され得る。それぞれのワイアレスノードは受信および／もしくは送信することができる。以下に続く詳細な説明において、アップリンク通信用に「アクセスポイント」という用語が受信ノードを称するために使用され、「アクセス端末」という用語が送信ノードを称するために使用される一方で、ダウンリンク通信用に「アクセスポイント」という用語は送信ノードを称するために使用され、「アクセス端末」という用語は受信ノードを称するために使用される。しかしながら、他の専門用語もしくは学術用語がアクセスポイントおよび／もしくはアクセス端末のために使用され得ることを当業者は容易に理解するだろう。例として、アクセスポイントは基地局、基地トランシーバ局、局、端末、ノード、アクセスポイントの役目を務めるアクセス端末、ＷＬＡＮデバイス、もしくはいくつかの他の適当な専門用語として表され得る。アクセス端末は、ユーザ端末、移動局、加入者局、局、ワイアレスデバイス、端末、ノード、もしくはいくつかの他の適当な専門用語として表され得る。本開示全体を通して説明される様々な概観は、それらの特定の学術用語に関わらず、全ての適当なワイアレスアクセス端末に適用するように意図されている。
【００２０】
ワイアレス通信システム１００は地理的領域全体に渡って分散されるアクセス端末をサポートし得る。コネクティビティ（ｃｏｎｎｅｃｔｉｖｉｔｙ）アシスタンスシステム１２０は、他のネットワーク（例えば、インターネット）へのアクセスだけでなく、アクセス端末の制御および調整を提供するために使用され得る。固定もしくは移動可能であり得るアクセス端末は、アクセスポイントのバックホールサービスを使用、もしくは他のアクセス端末とのピアツーピア通信に従事することができる。アクセス端末の例は、電話（例えば、セルラー電話）、ラップトップコンピュータ、デスクトップコンピュータ、パーソナルデジタルアシスタント（ＰＤＡ）、デジタルオーディオプレイヤ（例えば、ＭＰ３プレイヤ）、カメラ、コンピュータゲーム機、もしくは任意の適当なワイアレスノードを含む。
【００２１】
概して確立されたデータフローは、全方向１２２であり得、通信用の比較的低い周波数（例えば、２．４ＧＨｚ、５ＧＨｚなど）を使用し得る第１のプロトコル１２４を使用してアクセス端末１１０とアクセス端末１３０との間でサポートされ得る。さらにデータフローは、関連付け(association)および／もしくは認証プロセスに続いて設定され得るマシンアクセス制御（ＭＡＣ）もしくはより高い層のデータ交換を含み得る。本明細書で使用されるように、ワイアレスリンクを介してデータフローを維持することは、結果として再関連付けおよび／もしくは再認証になり得る十分に大きな時間のギャップなしにデータ交換を続けることを含み得る。まだその上アクセス端末１１０および１３０は、第１の無線プロトコルを通じた少なくとも第１のより低い周波数および第２の無線プロトコルを通じた第２のより高い周波数（例えば、６０ＧＨｚ）へのアクセスを有する、マルチモードの無線機を備えられ得る。ＷＣＤ１１０のある態様で無線プロトコル選択モジュール１１４は、サポートされた通信セッションが通信されるのが１つもしくは複数の無線プロトコルかを決定するために、１つ又は複数の無線プロトコルパラメータ１１６を分析し得る。ある態様で第２のより高い周波数は、第１のより低い周波数よりも比較的短いレンジの、しかしより高い最大スループットを有し得る。そのような態様で第２のより高い周波数を使用するセッションへの転送は、リンク状況が第２のより高い周波数で満足のいくものである時好まれるだろう。反対に状況が高いスループット通信には満足いくものでない場合、第２のより高い周波数から第１のより低い周波数へセッションを転送することが好まれ得る。さらには、状況が第１のおよび第２の周波数の両方にとって満足いくものである場合、両方の周波数を使用してセッションをサポートし、それによってスループットを増加させることが好まれ得る。
【００２２】
ある態様で無線プロトコルパラメータ１１６は、第１の無線プロトコルもしくは第２の無線プロトコルの少なくとも１つと関連する少なくとも１つの周波数のための無線リンク品質、第１の無線プロトコルもしくは第２の無線プロトコルの少なくとも１つと関連する少なくとも１つの周波数のための往復遅延値、第１の無線プロトコルによってサポートされるネットワークもしくは第２の無線プロトコルによってサポートされるネットワークの少なくとも１つのためのネットワークローディング、第１の無線プロトコルもしくは第２の無線プロトコルの少なくとも１つと関連するサービス品質などに限定されるが、含み得る。そのような態様でサービスメトリックの品質は、遅延(latency)値、データレート値、エラーレート値などのような値を含み得る。ある態様で第１のもしくは第２の無線プロトコルの少なくとも１つは、送信要求（ＲＴＳ）および送信可（ＣＴＳ）メッセージの使用を含み得る。そのような態様で往復遅延値は、ＲＴＳメッセージの出発時間およびＣＴＳメッセージの到着時間を使用して決定され得る。別の態様で第１のもしくは第２の無線プロトコルの少なくとも１つは、プローブメッセージおよび肯定応答（ＡＣＫ）メッセージの使用を含み得る。そのような態様で往復遅延値は、プローブメッセージの出発時間およびＡＣＫメッセージの到着時間を使用して決定され得る。上記で留意されたように、無線プロトコル選択モジュール１１４は、１つ又は複数のパラメータ１１６に基づいて、複数のプロトコルのどれがデータフローの通信用に使用され得るかを決定し得る。そのような決定は、例えば第２の無線プロトコル用の１つ又は複数のパラメータの少なくとも１つを第１の無線プロトコル用の対応するパラメータと比較することを通じて下され得る。別の態様で決定は、例えば第２の無線プロトコル用の１つ又は複数のパラメータの少なくとも１つをしきい値と比較することを通じて下され得る。さらに別の態様でそのような決定は、例えば第１の無線プロトコル用の１つ又は複数のパラメータの少なくとも１つをしきい値と比較することを通じて下され得る。
【００２３】
そのような例示的な態様で第１のプロトコルは、ワイアレスローカルエリアネットワークをベースとしたプロトコル、セルラーネットワークプロトコル、およびＢｌｕｅｔｏｏｔｈ（登録商標）をベースとしたプロトコルなどを含み得る。別の態様で第２の無線プロトコルは、６０ＧＨｚおよびより高い周波数帯域内での動作用のワイアレスネットワークプロトコル、ワイアレスローカルエリアネットワーク、セルラーネットワークプロトコル、ＩＥＥＥ８０２．１１プロトコルを含み得る。
【００２４】
ワイアレス通信システム１００はＭＩＭＯ技術をサポートし得る。ＭＩＭＯ技術を使用して、複数のアクセス端末１１０は空間分割多元接続（ＳＤＭＡ）を使用して同時に通信し得る。ＳＤＭＡは、異なる受信機に同時に送信される複数のストリームが同じ周波数チャネルを共有し、もしくは異なる周波数を利用して通信し、その結果より高いユーザ容量を提供することを可能にする多元接続スキームである。これは空間的にそれぞれのデータストリームをプリコーディングし、その後ダウンリンク上で異なる送信アンテナを通じてそれぞれの空間的にプリコーディングされたストリームを送信することによって達成される。その空間的にプリコーディングされたデータストリームは、異なる空間シグネチャを伴ってアクセス端末に到着し、そしてそれはそれぞれのアクセス端末１１０、１３０が、そのアクセス端末１１０、１３０に当てられたデータストリームを復元することを可能にする。アップリンク上でそれぞれのアクセス端末１１０，１３０は、空間的にプリコーディングされたデータストリームを送信し、そしてそれはそれぞれの空間的にプリコーディングされたデータストリームのソースのアイデンティティが既知となることを可能にする。
【００２５】
１つ又は複数のアクセス端末１１０はある種の機能性を動作可能にするために複数のアンテナを装備し得る。この構成を用いて、アクセス端末１１０にある複数のアンテナは、追加の帯域幅もしくは送信電力なしでデータスループットを改良するように通信するために使用され得る。これは、送信機の高いデータレート信号を異なる空間的シグネチャを有する複数のより低いレートのデータストリームに分割し、それによって受信機がこれらのストリームを複数のチャネルに分けて高いレートのデータ信号を復元するためにそのストリームを適切に結合することを可能にすることによって達成させられ得る。
【００２６】
以下の開示の部分がＭＩＭＯ技術をもサポートするアクセス端末を説明することになるのに対し、アクセス端末１１０はＭＩＭＯ技術をサポートしないアクセス端末をサポートするようにも構成され得る。この手法は、より新しいＭＩＭＯアクセス端末が適当であるとして導入されることを可能にしながら、アクセス端末のより古いバージョン（つまり、「レガシ」端末）がそれらの有用な製品寿命を延長しながらワイアレスネットワーク内に配置されたままにすることを可能にし得る。
【００２７】
以下に続く詳細な説明で本開示の様々な態様は、直交周波数分割多重（ＯＦＤＭ）のような、任意の適当なワイアレス技術をサポートするＭＩＭＯシステムを参照して説明されることになる。ＯＦＤＭは、正確な周波数上に一定間隔で置かれる多くのサブキャリアに渡ってデータを割り当てるスペクトル拡散技法である。その間隔は、受信機がサブキャリアからデータを復元することを可能にする「直交性」を提供する。ＯＦＤＭシステムはＩＥＥＥ８０２．１１、もしくはいくつかの他のエアインタフェース標準規格を実装し得る。他の適当なワイアレス技術は、例として、符号分割多元接続（ＣＤＭＡ）、時分割多元接続（ＴＤＭＡ）、もしくは任意の他の適当なワイアレス技術、あるいは適当なワイアレス技術の任意の組み合わせを含む。ＣＤＭＡシステムは、ＩＳ−２０００、ＩＳ−９５、ＩＳ−８５６、広帯域ＣＤＭＡ（ＷＣＤＭＡ）、もしくはいくつかの他の適当なエアインタフェース標準規格で実装し得る。ＴＤＭＡシステムは、移動体通信のためのグローバルシステム（ＧＳＭ（登録商標））、もしくはいくつかの他の適当なエアインタフェース標準規格を実装し得る。当業者が容易に理解することになるように、本発明の様々な態様は任意の特定のワイアレス技術および／もしくはエアインタフェース標準規格に限定されない。
【００２８】
ワイアレスノード（例えば、１１０、１３０）は、アクセスポイントであろうがアクセス端末であろうが、共有されるワイアレスチャネルにワイアレスノードをインタフェースさせるための全ての物理的および電子的仕様を実装する物理（ＰＨＹ）層、共有されるワイアレスチャネルへのアクセスを調整するＭＡＣ層、および、例えばスピーチとマルチメディアのコーデックおよびグラフィック処理を含む様々なデータ処理機能を実行するアプリケーション層を含む層構造を利用するプロトコルを用いて実装され得る。ＭＡＣおよびＰＨＹ層についての更なる論述は図３を参照して提供される。追加のプロトコル層（例えば、ネットワーク層、トランスポート層）は任意の特定のアプリケーションのために必要とされ得る。いくつかの構成でワイアレスノードは、アクセスポイントとアクセス端末との間、もしくは２つのアクセス端末の間の中継ポイントとしての役目を務め得、従ってアプリケーション層を必要としないこともある。当業者は、全体のシステムに課された全体の設計制限および特定のアプリケーションに応じて任意のワイアレスノード用の適当なプロトコルを容易に実装することができるだろう。
【００２９】
図２は、請求項の主題に従った様々な方法を例示する。解説の簡略化の目的のために、方法は一連の動作として表示および説明されるが、いくつかの動作が本明細書で表示および説明されるものとは別の他の動作と同時に、および／もしくはそれとは異なる順序で生じ得るため、請求項の主題は動作の順序によって限定されないことは理解および認識されるべきである。例えば、方法が状態図内のような、一連の相互関連する状態もしくはイベントとして代わりに示されることができることを当業者は理解および認識するだろう。さらには、全ての例示された動作が請求項の主題に従った方法を実行するために必要とされ得るとは限らない。加えて、以下および本明細書全体を通して開示される方法はそのような方法をコンピュータに輸送および転送することを容易にするために製造品上に記憶されることができることはさらに認識されるべきである。本明細書で使用される製造品という用語は、任意のコンピュータ読み取り可能デバイス、キャリア、もしくはメディアからアクセス可能なコンピュータプログラムを包含するように意図されている。
【００３０】
図２を参照して、ワイアレスノードは異なる無線プロトコルを使用して複数のネットワークを介してデータフローをシームレスにサポートし得る。参照番号２０２で、データフローは第１の無線プロトコルを介してサポートされる。ある態様で、この第１の無線プロトコルは全方向性であり得、比較的より低い周波数（例えば、２．４ＧＨｚ、５ＧＨｚなど）で通信し得、比較的より広いカバレッジ領域を提供し得、ならびに第２の無線プロトコルよりも比較的低い送信レートで通信し得る。そのような態様で、マルチモードデバイスは、１つ又は複数の利用可能なモードを使用して、確立された通信セッションをサポートしようと求め得る。参照番号２０４で、マルチモードデバイスと関連する第１のおよび第２の無線プロトコルの少なくとも１つと関連する１つ又は複数のパラメータが決定される。ある態様で、その１つ又は複数のパラメータが、第１の無線プロトコルもしくは第２の無線プロトコルの少なくとも１つと関連する少なくとも１つの周波数のための無線リンク品質、第１の無線プロトコルによってサポートされるネットワークもしくは第２の無線プロトコルによってサポートされるネットワークの少なくとも１つのためのネットワークローディング、第１の無線プロトコルもしくは第２の無線プロトコルの少なくとも１つと関連するサービス品質などに限定されるが、含み得る。そのような態様で、サービス品質のメトリックは、遅延値、データレート値、エラーレート値などのような値を含み得る。別のそのような態様で無線リンク品質は、パス損失モデルを通じて推定され得る。別の態様で無線リンク品質は、往復遅延時間を使用して推定され得る。
【００３１】
参照番号２０６、２０７、および２０８は、現在のデータフローがサポートされている送信モードを変更するためにマルチモードデバイスを促し得る例示的なきっかけとなる(triggering)イベントを提供する。参照番号２０６で、第２の無線プロトコルと関連するパラメータと第１の無線プロトコルと関連する対応するパラメータとの間で比較が行われる。ある態様でしきい値は送信モード変更の頻度を減少させるためにその比較の中に含まれ得る。追加で、もしくは代わりとして参照番号２０８で、第２の無線プロトコルと関連するパラメータとしきい値との間で比較が行われ得る。さらに加えて、もしくは代わりとして、参照番号２１０で、第１の無線プロトコルと関連するパラメータとしきい値との間で比較が行われる。参照番号２０６、２０８、および／もしくは２０８内で描かれているように、適用される比較からの否定的な決定の後、参照番号２１２で、確立されたデータフローをサポートするように追加のモードを提供するためのプロセスが終わり得る。反対に、参照番号２０６、２０８、および／もしくは２０８内で描かれているように、適用される比較からの肯定的な決定の後、参照番号２１４でデータフローは第２の無線プロトコルを介して動作可能にされ得る。そのような態様で確立された通信セッションは、第２の無線プロトコルを動作可能にすることによって中断されないままであり得る。ある態様で、第２の無線プロトコルを動作可能にすることはビームトレーニングを含み得る。そのような態様でビームトレーニングは、１つ又は複数のビーム方向を通じたそれぞれのデバイスによるトレーニングパイロットの送信、それぞれのデバイスでの１つ又は複数の送信されたトレーニングビームの受信、１つ又は複数の受信されたトレーニングビームからの信号強度値に基づいて好ましい通信ビーム方向を決定すること、ならびに例えばフィードバック、つまり肯定応答メッセージを通じて、好ましい通信ビーム方向をデバイス間で交換することを含み得る。
【００３２】
参照番号２１６で、第１の無線プロトコルおよび／もしくは第２の無線プロトコルの少なくとも１つは、データフローを中断することなく確立された通信セッションをサポートするために選択される。つまりその通信セッションを介して通信されるデータフローは、それらが通信される無線プロトコルを知らなくてもよい。この選択プロセスと関連する層構造のブロック図は図３を参照して提供される。ある態様で、第２のより高い周波数でより大きなスループットの無線プロトコルのみが選択され得る。別の態様で第１のおよび第２の無線プロトコルの両方が選択され得、それによってさらにスループット能力を増強させる。また別の態様で、第１のより低い周波数でより大きな無線プロトコルのみが選択され得る。参照番号２１８で、データフローは１つ又は複数の選択された無線プロトコルを介して通信され得る。セッション転送コマンドは、確立された通信セッションをサポートするために１つ又は複数の無線プロトコルのうちどれを使用すべきかについてデバイスを促すために提供され得る。ある態様で複数の無線プロトコルを使用する通信は、単一の通信セッションの一部として行われ得る。別の態様で複数の通信セッションは複数の無線プロトコルを介して送信され得る。
【００３３】
図３を参照して、複数の層の間での相互動作の例示的なブロック図３００が描かれる。複数の層３００は、８０１．１１ＭＡＣ層に連結されているＭＡＣサービスアクセスポイント（ＳＡＰ）３０２を含む。図３で描かれているように、ＭＡＣ層は、８０２．１１の上層のＭＡＣ３０４および８０２．１１の下層のＭＡＣ３０６に分割され得る。さらに送信バッファ３０８は８０２．１１の上層のＭＡＣ３０４およびレート適応モジュール３１０に連結され得る。ある態様で、レート適応モジュール３１０はどの無線プロトコルのＰＨＹ層が使用され得るかを決定し得る。図２を参照して上記で論述されたように、複数のパラメータがそのような決定を下す際に評価され得る。ある態様でパラメータは、第１の無線プロトコルもしくは第２の無線プロトコルの少なくとも１つと関連する少なくとも１つの周波数のための無線リンク品質、第１の無線プロトコルによってサポートされるネットワークもしくは第２の無線プロトコルによってサポートされるネットワークの少なくとも１つのためのネットワークローディング、第１の無線プロトコルもしくは第２の無線プロトコルの少なくとも１つと関連するサービス品質などに限定されるが、含み得る。そのような態様でサービス品質のメトリックは、遅延値、データレート値、エラーレート値などのような値を含み得る。別のそのような態様で無線リンク品質は、パス損失モデルを通じて推定され得る。さらにある態様で第２の無線プロトコルは指向性ベースであり得、通信用に比較的高い周波数（例えば、６０ＧＨｚ）を使用し得るのに対し、第１のプロトコルは全方向性１２２であり得、通信用に比較的低い周波数（例えば、２．４ＧＨｚ、５ＧＨｚなど）を使用し得る。別の態様で第２の無線プロトコルは、６０ＧＨｚおよびより高い周波数帯域での動作用のワイアレスネットワークプロトコル、ワイアレスローカルエリアネットワーク、セルラーネットワークプロトコル、ＩＥＥＥ８０２．１１プロトコルを含み得る。
【００３４】
ある態様でレート適応モジュール３１０は、第１の無線プロトコルのＰＨＹ層３１２を使用してデータフローを通信することを選択し得る。別の態様でレート適応モジュール３１０は第２の無線プロトコルのＰＨＹ層３１６を使用してデータフローを通信することを選択し得る。そのような態様で追加のカプセル化３１４および／もしくは処理は第２の無線プロトコルを介したデータフローを許容するために使用され得る。
【００３５】
よってＭＡＣ  ＳＡＰ３０２で、もしくはそれより上部で維持される通信はいずれのＰＨＹ層および／もしくはＭＡＣ層プロセスに気付かないこともあり、よって複数の無線プロトコル間での転移を通じてデータフロー用の一貫したワイアレスリンクを維持し得る。
【００３６】
図１を引き続き参照しながらも今度は図４にも移ると、ワイアレス通信デバイス１１０の例示的なアーキテクチャが例示される。図４で描かれているようにワイアレス通信デバイス４００は、例えば受信アンテナ（示されていない）から信号を受信し、受信された信号上で典型的な動作（例えば、フィルタをかける、増幅する、ダウンコンバートする、など）を実行し、サンプルを得るために適当な状態に調整された信号をデジタル化する受信機４０２を備える。受信機４０２は受信されたシンボルを復調し、それらをチャネルの推定のためにプロセッサ４０６に提供できる復調器４０４を備えることができる。さらに受信機４０２は複数の通信プロトコルを使用して複数のネットワークから信号を受信し得る。ある態様で受信機４０２は、ＣＤＭＡ、ＷＣＤＭＡ、ＴＤＭＡ、ＴＤ−ＳＣＤＭＡ、ＵＭＴＳ、ＩＰ、ＧＳＭ、ＬＴＥ、ＷｉＭａｘ、ＵＭＢ、ＥＶ−ＤＯ、８０２．１１、ＢＬＵＥＴＯＯＴＨなどの少なくとも１つを使用してネットワークから信号を受信し得る。
【００３７】
プロセッサ４０６は、受信機４０２によって受信される情報を分析することおよび／もしくは送信機４２０による送信用の情報を生成することの専用プロセッサ、ワイアレス通信デバイス４００の１つ又は複数のコンポーネントを制御するプロセッサ、および／もしくは受信機４０２によって受信される情報を分析して送信機４２０による送信用の情報を生成することも、ワイアレス通信デバイス４００の１つ又は複数のコンポーネントを制御することも両方行うプロセッサであることができる。
【００３８】
ワイアレス通信デバイス４００は加えて、プロセッサ４０６に動作可能になるように連結、および／もしくはプロセッサ４０６に設けられ、ならびに送信されるべきデータ、受信されたデータ、利用可能なチャネルに関する情報、分析された信号および／もしくは干渉強度と関連するデータ、割り当てられたチャネル、電力、レート、もしくは同様なものに関する情報、およびチャネルを推定してそのチャネルを通じて通信するための任意の他の適当な情報を記憶することができるメモリ４０８を備えることができる。メモリ４０８は加えて、チャネルを推定および／もしくは利用すること（例えば、パフォーマンスベースで、容量ベースで、など）と関連するプロトコルおよび／もしくはアルゴリズムを記憶することができる。
【００３９】
本明細書で説明されるデータ記憶装置（例えば、メモリ４０８）が、揮発性のメモリもしくは非揮発性のメモリのどちらかであり得、あるいは揮発性のおよび非揮発性の両方のメモリを含むことができることは認識されるだろう。限定ではなく例示として非揮発性のメモリは、読み出し専用メモリ（ＲＯＭ）、プログラム可能ＲＯＭ（ＰＲＯＭ)、電子的プログラム可能ＲＯＭ（ＥＰＲＯＭ）、電子的消去可能ＰＲＯＭ（ＥＥＰＲＯＭ）、もしくはフラッシュメモリを含み得る。揮発性のメモリは、外部キャッシュメモリとして動作する、ランダムアクセスメモリ（ＲＡＭ）を含むことができる。限定ではなく例示として、ＲＡＭは同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ ＳＤＲＡＭ）、エンハンストＳＤＲＡＭ（ＥＳＤＲＡＭ）、シンクリンク（Ｓｙｎｃｈｌｉｎｋ）ＤＲＡＭ（ＳＬＤＲＡＭ）、およびダイレクトランバス（Ｒａｍｂｕｓ）ＲＡＭ（ＤＲＲＡＭ（登録商標））のような多くの形態で利用可能である。主題のシステムおよび方法のメモリ４０８は、これらのおよび任意の他の適当な種類のメモリを、それらに限定されることなく、備え得る。
【００４０】
ワイアレス通信デバイス４００は、異なる無線プロトコルを使用して複数のネットワークを介してデータフローをシームレスにサポートするために無線プロトコル選択モジュール４３０をさらに含むことができる。無線プロトコル選択モジュール４３０は無線プロトコルパラメータ４３２を含み得る。ある態様で無線プロトコルパラメータ４３２は、第１の無線プロトコルもしくは第２の無線プロトコルの少なくとも１つと関連する少なくとも１つの周波数のための無線リンク品質、第１の無線プロトコルによってサポートされるネットワークもしくは第２の無線プロトコルによってサポートされるネットワークの少なくとも１つのためのネットワークローディング、第１の無線プロトコルもしくは第２の無線プロトコルの少なくとも１つと関連するサービス品質などに限定されるが、含み得る。そのような態様でサービス品質のメトリックは、遅延値、データレート値、エラーレート値などのような値を含み得る。上記で留意されたように無線プロトコル選択モジュール４３０は、１つ又は複数のパラメータ４３２に基づいてデータフローの通信用に使用され得るのは複数のプロトコルのどれであるかを決定し得る。そのような決定は、例えば第２の無線プロトコル用の１つ又は複数のパラメータの少なくとも１つを第１の無線プロトコル用の対応するパラメータと比較することを通じて下され得る。別の態様で決定は、例えば第２の無線プロトコル用の１つ又は複数のパラメータの少なくとも１つをしきい値と比較することを通じて下され得る。また別の態様でそのような決定は、例えば第１の無線プロトコル用の１つ又は複数のパラメータの少なくとも１つをしきい値と比較することを通じて下され得る。そのような例示的な態様で第１のプロトコルは、ワイアレスローカルエリアネットワークをベースとしたプロトコル、セルラーネットワークプロトコル、およびＢｌｕｅｔｏｏｔｈをベースとしたプロトコルなどを含み得る。別の態様で第２の無線プロトコルは、６０ＧＨｚおよびより高い周波数帯域での動作用のワイアレスネットワークプロトコル、ワイアレスローカルエリアネットワーク、セルラーネットワークプロトコル、ＩＥＥＥ８０２．１１プロトコルを含み得る。
【００４１】
加えて、ワイアレス通信デバイス４００はユーザインタフェース４４０を含み得る。ユーザインタフェース４４０は、通信デバイス４００への入力を生成するための入力メカニズム４４２、および通信デバイス４００のユーザによる消費のための情報を生成するための出力メカニズム４４４を含み得る。例えば入力メカニズム４４２は、キーもしくはキーボード、マウス、タッチスクリーンディスプレイ、マイクなどのようなメカニズムを含み得る。さらに、例えば出力メカニズム４４４はディスプレイ、オーディオスピーカ、ハプティックフィードバックメカニズム（ｈａｐｔｉｃ  ｆｅｅｄｂａｃｋ  ｍｅｃｈａｎｉｓｍ）、パーソナルエリアネットワーク（ＰＡＮ）トランシーバなどを含み得る。例示される態様で出力メカニズム４４４は、イメージもしくはビデオの形態をなす媒体コンテンツを示すように動作可能なディスプレイもしくはオーディオ形態をなす媒体コンテンツを示すためのオーディオスピーカを含み得る。
【００４２】
図５はＰＨＹ層の信号処理機能の例を例示する概観的ブロック図である。送信モードでＴＸデータプロセッサ５０２は、ＭＡＣ層からデータを受信し、受信ノードで前方誤り訂正（ＦＥＣ）を容易にするためにデータを符号化（例えば、ターボコード）するために使用され得る。符号化プロセスは結果として、変調シンボルのシーケンスを創出するためにＴＸデータプロセッサ５０２によってまとまってブロック化され、信号コンステレーション（Ｃｏｎｓｔｅｌｌａｔｉｏｎ）にマッピングされ得るコードシンボルのシーケンスになる。
【００４３】
ＯＦＤＭを実行するワイアレスアクセス端末で、ＴＸデータプロセッサ５０２からの変調シンボルはＯＦＤＭ変調器５０４に提供され得る。ＯＦＤＭ変調器は変調シンボルを並列ストリームに分割する。それぞれのストリームはその後、ＯＦＤＭのサブキャリアにマッピングされ、そして時間ドメインのＯＦＤＭストリームを創出するために高速逆フーリエ変換（ＩＦＦＴ）を使用して結合される。
【００４４】
ＴＸ空間プロセッサ５０５はＯＦＤＭストリーム上で空間処理を実行する。これは、それぞれのＯＦＤＭを空間的にプリコーディングし、その後トランシーバ５０６を通じてそれぞれの空間的にプリコーディングされたストリームを異なるアンテナ５０８に提供することによって達成され得る。それぞれの送信機５０６はワイアレスチャネルを介した送信のための各々のプリコーディングされたストリームでＲＦキャリアを変調する。
【００４５】
受信モードで、それぞれのトランシーバ５０６はその各々のアンテナ５０８を通じて信号を受信する。それぞれのトランシーバ５０６はＲＦキャリア上に変調された情報を復元し、その情報をＲＸ空間プロセッサ５１０に提供するために使用され得る。
【００４６】
ＲＸ空間プロセッサ５１０はワイアレスノード５００に当てられた任意の空間ストリームを復元するためにその情報上で空間処理を実行する。その空間処理は、チャネル相関行列反転（ＣＣＭＩ）、最小平均平方誤差（ＭＭＳＥ）、ソフト干渉除去（ＳＩＣ）、もしくはいくつかの他の適当な技法に従って実行され得る。複数の空間ストリームがワイアレスノード５００に当てられる場合、それらはＲＸ空間プロセッサ５１０によって結合され得る。
【００４７】
ＯＦＤＭを実行するワイアレスアクセス端末でＲＸ空間プロセッサ５１０からのストリーム（もしくは結合されたストリーム）はＯＦＤＭ復調器５１２に提供される。ＯＦＤＭ復調器５１２は、高速フーリエ変換（ＦＦＴ）を使用して時間ドメインから周波数ドメインへ、ストリーム（もしくは結合されたストリーム）を変換する。周波数ドメイン信号はＯＦＤＭ信号のそれぞれのサブキャリア用に別個のストリームを備える。ＯＦＤＭ復調器５１２はそれぞれのサブキャリア上で搬送されるデータ（つまり、変調シンボル）を復元し、変調シンボルのストリームにデータを多重化する。
【００４８】
ＲＸデータプロセッサ５１４は、変調シンボルを信号コンステレーション内の正確なポイントに直すために使用され得る。ワイアレスチャネル内の雑音および他の妨害のために変調シンボルは元の信号コンステレーション内のポイントの的確な位置に対応しないことがある。ＲＸデータプロセッサ５１４は、信号コンステレーション内の有効なシンボルの位置と受信されたポイントとの間の最短距離を発見することによってどの変調シンボルが最も送信された可能性があるかを検出する。これらのソフト決定はターボコードの場合、例えば所与の変調シンボルと関連するコードシンボルの対数尤度比（ＬＬＲ）を算定するために使用され得る。ＲＸデータプロセッサ５１４はその後、ＭＡＣ層にデータを提供する前に最初に送信されたデータを復号するためにコードシンボルのＬＬＲｓのシーケンスを使用する。
【００４９】
図６は、ワイアレスノード内の処理システム用のハードウェア構成の例を例示する概観図である。この例で処理システム６００は、概してバス６０２によって示されるバスアーキテクチャを用いて実装され得る。バス６０２は、処理システム６００の特定のアプリケーションおよび全体の設計制限に応じて任意の数の相互接続するバスおよびブリッジを含み得る。バスはプロセッサ６０４、コンピュータ読み取り可能媒体６０６、およびバスインタフェース６０８を含む様々な回路を共にリンクする。バスインタフェース６０８はネットワークアダプタ６１０を、とりわけバス６０２を通じて処理システム６００に接続するために使用され得る。ネットワークインタフェース６１０はＰＨＹ層の信号処理機能を実行するために使用され得る。アクセス端末１１０（図１を参照）の場合、ユーザインタフェース６１２（例えば、キーパッド、ディスプレイ、マウス、ジョイスティックなど）もまた、バスにバスインタフェース６０８を通じて接続され得る。バス６０２はまた、タイミングソース、周辺機器、電圧調節器、電力管理回路、および同様なもののような様々な他の回路をリンクすることもでき、それらは当業内では周知であり、従ってこれ以上は説明されない。
【００５０】
プロセッサ６０４は、コンピュータ読み取り可能媒体６０８上に記憶されるソフトウェアの実行を含むバスの管理および一般的な処理を担う。プロセッサ６０８は、１つ又は複数の汎用、および／もしくは特定用途プロセッサで実装され得る。例はマイクロプロセッサ、マイクロコントローラ、デジタル信号プロセッサ（ＤＳＰｓ）、フィールドプログラマブルゲートアレイ（ＦＰＧＡｓ）、プログラム可能論理デバイス（ＰＬＤｓ）、ステートマシン、ゲート論理、ディスクリートハードウェア回路、および本開示全体を通して説明される様々な機能性を実行するように構成された他の適当なハードウェアを含む。
【００５１】
処理システム内の１つ又は複数のプロセッサはソフトウェアを実行し得る。ソフトウェアは、ソフトウェア、ファームウェア、ミドルウェア、マイクロコード、ハードウェア記述言語、もしくは他の方法で表されたとしても、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行のスレッド、プロシージャ、機能などを意味するように広く解釈されるだろう。
【００５２】
ソフトウェアはコンピュータ読み取り可能媒体に備わり得る。コンピュータ読み取り可能媒体は、例として、磁気記憶デバイス（例えば、ハードディスク、フロッピー（登録商標）ディスク、磁気ストリップ）、光学ディスク（例えば、コンパクトディスク（ＣＤ）、デジタルバーサタイルディスク（ＤＶＤ））、スマートカード、フラッシュメモリデバイス（例えば、カード、スティック、キードライブ）、ランダムアクセスメモリ（ＲＡＭ）、読み出し専用メモリ（ＲＯＭ）、プログラム可能ＲＯＭ（ＰＲＯＭ)、消去可能ＰＲＯＭ（ＥＰＲＯＭ）、電子的消去可能ＰＲＯＭ（ＥＥＰＲＯＭ）、レジスタ、リムーバブルディスク、搬送波、伝送線、もしくはソフトウェアを記憶もしくは送信するための任意の他の適当な媒体を含み得る。コンピュータ読み取り可能媒体は、処理システム内に、処理システムの外部に、もしくは処理システムを含む複数のエンティティに渡って分配されて常駐し得る。コンピュータ読み取り可能媒体は、コンピュータプログラム製品内で具現化され得る。例として、コンピュータプログラム製品はパッケージのマテリアル内のコンピュータ読み取り可能媒体を含み得る。
【００５３】
図６で例示されるハードウェアの実装で、コンピュータ読み取り可能媒体６０６はプロセッサ６０４とは別個の処理システム６００の一部として表示される。しかしながら当業者は容易に理解することになるように、コンピュータ読み取り可能媒体６０６、もしくはそのいずれの部分も、処理システム６００の外部であり得る。例として、コンピュータ読み取り可能媒体６０６は伝送線、データによって変調された搬送波、および／もしくはワイアレスノードとは別個のコンピュータ製品を含むことができ、その全てはバスインタフェース６０８を通じてプロセッサ６０４によってアクセスされ得る。代わりとして、もしくは加えて、コンピュータ読み取り可能媒体６０４、もしくはそのいずれの部分も、その場合はキャッシュおよび／もしくは一般的なレジスタファイルを伴い得るように、プロセッサ６０４に統合され得る。
【００５４】
処理システム、もしくは処理システムのいずれの部分も、本明細書で記載される機能を実行するための手段を提供し得る。例として、コードを実行する処理システムは、第１の無線プロトコルを使用してワイアレスリンクを介してデータフローをサポートするための手段、１つ又は複数のパラメータに基づいてデータフロー用の第２の無線プロトコルを動作可能にするための手段、ワイアレスリンクを維持しながらワイアレスリンクを介してデータフローをサポートするために第１の無線プロトコルもしくは第２の無線プロトコルの少なくとも１つを選択するための手段、および第１の無線プロトコルもしくは第２の無線プロトコルの選択された少なくとも１つを使用してワイアレスリンクを介してデータフローを通信するための手段を提供し得る。代わりとして、コンピュータ読み取り可能媒体上のコードは本明細書に記載される機能を実行するための手段を提供し得る。
【００５５】
図７は例示的な装置６００の機能性を例示する概観的ブロック図７００である。装置６００は第１の無線プロトコルを使用してワイアレスリンクを介してデータフローをサポートするモジュール７０２、１つ又は複数のパラメータに基づいてデータフロー用の第２の無線プロトコルを動作可能にするモジュール７０４、ワイアレスリンクを維持しながらワイアレスリンクを介してデータフローをサポートするために第１の無線プロトコルもしくは第２の無線プロトコルの少なくとも１つを選択するモジュール７０６、第１の無線プロトコルもしくは第２の無線プロトコルの選択された少なくとも１つを使用してワイアレスリンクを介してデータフローを通信するモジュール７０８を含む。
【００５６】
図１および図６を参照してある構成で、ワイアレス通信用の装置６００は第１の無線プロトコルを使用してワイアレスリンクを介してデータフローをサポートするための手段、１つ又は複数のパラメータに基づいてデータフロー用の第２の無線プロトコルを動作可能にするための手段、ワイアレスリンクを介してデータフローを維持しながらワイアレスリンクを介してデータフローをサポートするために第１の無線プロトコルもしくは第２の無線プロトコルの少なくとも１つを選択するための手段、および第１の無線プロトコルもしくは第２の無線プロトコルの選択された少なくとも１つを使用してワイアレスリンクを介してデータフローを通信するための手段を含む。ある態様で、第１の無線プロトコルを使用してワイアレスリンクを介してデータフローをサポートするための手段は、プロセッサ（例えば、４０６、６０４）を含み得る。別の態様で、１つ又は複数のパラメータに基づいてデータフロー用の第２の無線プロトコルを動作可能にするための手段はプロセッサ（例えば、４０６、６０４）を含み得る。引き続き別の態様で、ワイアレスリンクを介してデータフローを維持しながらワイアレスリンクを介してデータフローをサポートするために第１の無線プロトコルもしくは第２の無線プロトコルの少なくとも１つを選択するための手段は、プロセッサ（例えば、４０６、６０４）を含み得る。また別の態様で、第１の無線プロトコルもしくは第２の無線プロトコルの選択された少なくとも１つを使用してワイアレスリンクを介してデータフローを通信するための手段はトランシーバ（例えば、５０６）を含み得る。
【００５７】
別の構成で、ワイアレス通信用の装置６００は第１の無線プロトコルおよび第２の無線プロトコルの両方を使用するための手段を含む。別の構成で、ワイアレス通信用の装置６００は第２の無線プロトコルを使用して通信パスを確立するためにビームトレーニングを実行するための手段を含む。別の構成でワイアレス通信用の装置６００は、第２の無線プロトコル用の１つ又は複数のパラメータの少なくとも１つを第１の無線プロトコル用の対応するパラメータと比較するための手段、および第２の無線プロトコル用の１つ又は複数のパラメータの少なくとも１つが第１の無線プロトコル用の対応するパラメータ以上である場合にしきい値によって第２の無線プロトコルを動作可能にするための手段を含む。そのような構成でワイアレス通信用の装置６００はその動作可能にされた第２の無線プロトコルを使用してワイアレスリンクを介してデータフローを通信するための手段を含む。別の構成で、ワイアレス通信用の装置６００は第２の無線プロトコル用の１つ又は複数のパラメータの少なくとも１つをしきい値と比較するための手段、および第２の無線プロトコル用の１つ又は複数のパラメータの少なくとも１つがしきい値以上である場合に第２の無線プロトコルを動作可能にするための手段を含む。そのような構成で、ワイアレス通信用の装置６００はその動作可能にされた第２の無線プロトコルを使用してワイアレスリンクを介してデータフローを通信するための手段を含む。別の構成で、ワイアレス通信用の装置６００は第１の無線プロトコル用の１つ又は複数のパラメータの少なくとも１つをしきい値と比較するための手段、および第１の無線プロトコル用の１つ又は複数のパラメータの少なくとも１つがしきい値よりも少ない場合に第２の無線プロトコルを動作可能にするための手段を含む。そのような構成で、ワイアレス通信用の装置６００はその動作可能にされた第２の無線プロトコルを使用してワイアレスリンクを介してデータフローを通信するための手段を含む。前記の手段は、前記の手段によって記載された機能を実行するように構成された処理システム６００である。上記で説明されたように、処理システム６００はＴＸプロセッサ５０２、ＲＸプロセッサ５１４、およびプロセッサ５０５ならびに５１０を含む。よってある構成で前記の手段は、前記の手段によって記載された機能を実行するように構成されたＴＸプロセッサ５０２、ＲＸプロセッサ５１４、およびプロセッサ５０５ならびに５１０であり得る。
【００５８】
当業者は、全体のシステムに課された全体の設計制限および特定のアプリケーションに応じて本開示全体を通じて示される説明される機能性をどのように実行することが最善であるかを明確に理解するだろう。
【００５９】
ソフトウェアモジュールのコンテクストで説明される任意の特定の順序もしくはステップの階層はワイアレスノードの例を提供するために示されていることは理解される。設計の選好に基づいて、本発明の範囲内に留まりながら特定の順序もしくはステップの階層が並べ直され得ることは理解される。
【００６０】
前述の説明は、いずれの当業者も本開示の全ての範囲を完全に理解することをできるようにするために提供される。本明細書で開示される様々な構成への変更は当業者には容易に明らかになる。従って特許請求の範囲は本明細書で説明される開示の様々な態様に限定されるようには意図されておらず、しかし特許請求の範囲の用語と一貫した全ての範囲が与えられるべきであり、ここにおいて単数形の要素への参照は、特別にそのように述べられない限り「１つおよび唯一」を意味するようには意図されず、むしろ「１つかそれ以上」を意味するように意図されている。特別に別の方法で述べられない限り、「いくつか」という用語は１つかそれ以上を表す。要素の組み合わせの少なくとも１つ（例えば、「Ａ、Ｂ、もしくはＣの少なくとも１つ」）を記載する請求項は、記載される要素の１つかそれ以上（Ａ、もしくはＢ、もしくはＣ、もしくはその任意の組み合わせ）を表す。当業者に既知、もしくはいずれ既知となる本開示全体を通じて説明される様々な態様の要素に対する構造的および機能的な均等物の全ては参照によって本明細書に明示的に組み込まれ、特許請求の範囲によって包含されるように意図されている。さらには本明細書で開示されるものはどれも、そのような開示が特許請求の範囲に明白に記載されているかどうかには関わらず、公に捧げられることは意図されていない。どの請求項の要素も、その要素が「のための手段」という表現を使用して明示的に記載されない限り、もしくは方法の請求項の場合、その要素が「のためのステップ」という表現を使用して記載されない限り、米国特許法第１１２条第６項の規定の下解釈されるべきではない。
【００６１】
１つ又は複数の例示的な態様で説明される機能は、ハードウェア、ソフトウェア、ファームウェア、もしくはその任意の組み合わせで実装され得る。ソフトウェアで実装される場合、機能はコンピュータ読み取り可能媒体上の１つ又は複数の命令もしくはコードとして記憶もしくは送信され得る。コンピュータ読み取り可能媒体は、ある場所から別の場所へのコンピュータプログラムの転送を容易にする任意の媒体を含む通信媒体およびコンピュータ記憶媒体の両方を含む。記憶媒体はコンピュータによってアクセスされることができる任意の利用可能な媒体であり得る。限定ではなく例として、そのようなコンピュータ読み取り可能媒体は、ＲＡＭ、ＲＯＭ、ＥＥＰＲＯＭ、ＣＤ−ＲＯＭもしくは他の光学ディスク記憶媒体、磁気ディスク記憶装置もしくは他の磁気記憶デバイス、あるいは命令の形態もしくはデータ構造で望ましいプログラムコードを記憶もしくは搬送するために使用され得、ならびにコンピュータによってアクセスされ得る任意の他の媒体を備えることができる。またいずれの接続もコンピュータ読み取り可能媒体と適切に称される。例えばソフトウェアが、ウェブサイト、サーバ、もしくは他の遠隔ソースから、同軸ケーブル、光ファイバーケーブル、ツイストペア、デジタル加入者線（ＤＳＬ）、もしくは赤外線、無線、およびマイクロ波のようなワイアレス技術を使用して送信される場合、その時同軸ケーブル、光ファイバーケーブル、ツイストペア、ＤＳＬ、もしくは赤外線、無線およびマイクロ波のようなワイアレス技術は媒体の定義の中に含まれる。本明細書で使用されるようにディスク（ｄｉｓｋ）およびディスク（ｄｉｓｃ）は、コンパクトディスク（ｃｏｍｐａｃｔ  ｄｉｓｃ）（ＣＤ）、レーザディスク（ｌａｓｅｒ  ｄｉｓｃ）、光学ディスク（ｏｐｔｉｃａｌ  ｄｉｓｃ）、デジタルバーサタイルディスク（ｄｉｇｉｔａｌ  ｖｅｒｓａｔｉｌｅ  ｄｉｓｃ）（ＤＶＤ），フロッピーディスク（ｆｌｏｐｐｙ（登録商標）  ｄｉｓｋ）およびブルーレイディスク（ｂｌｕ−ｒａｙ  ｄｉｓｃ）を含み、ここにおいてディスク（ｄｉｓｃ）がレーザを用いて光学的にデータを再現するのに対し、ディスク（ｄｉｓｋ）は大抵磁気的にデータを再現する。上記の組み合わせもコンピュータ読み取り可能媒体の範囲内に含まれるべきである。
【図１】
2013511901.tif 000003
【図２】
2013511901.tif 000004
【図３】
2013511901.tif 000005
【図４】
2013511901.tif 000006
【図５】
2013511901.tif 000007
【図６】
2013511901.tif 000008
【図７】
2013511901.tif 000009
【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
ワイアレス通信の方法であって、前記方法は、
第１の無線プロトコルを使用してワイアレスリンクを介してデータフローをサポートすることと、ここにおいて前記第１のデータプロトコルはそれと関連する第１の周波数を有し、
１つ又は複数のパラメータに基づいて、前記データフロー用の第２の無線プロトコルを動作可能にすることと、ここにおいて前記第２のデータプロトコルはそれと関連する第２の周波数を有し、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択することと、
前記第１の無線プロトコルもしくは前記第２の無線プロトコルの前記選択された少なくとも１つを使用して前記ワイアレスリンクを介して前記データフローを通信することと、を備え、ここにおいてリンク状況が両方の周波数にとって満足いくものである場合、前記データフローは前記第１のおよび前記第２の周波数の両方を使用してサポートされる、
方法。
【請求項２】
前記データフローの前記通信が前記第１の無線プロトコルおよび前記第２の無線プロトコルの両方を使用することを備える請求項１に記載の方法。
【請求項３】
前記第２の無線プロトコルを動作可能にすることが、前記第２の無線プロトコルを使用して通信パスを確立するためにビームトレーニングを実行することを備える請求項１に記載の方法。
【請求項４】
前記１つ又は複数のパラメータが、
少なくとも前記第１のもしくは前記第２の周波数のための無線リンク品質、
前記第１の無線プロトコルによってサポートされるネットワークもしくは前記第２の無線プロトコルによってサポートされるネットワークの少なくとも１つのためのネットワークローディング、
前記第１の無線プロトコルもしくは前記第２の無線プロトコルの少なくとも１つと関連するサービス品質、もしくは、
少なくとも前記第１のもしくは前記第２の周波数のための往復遅延時間
の少なくとも１つを備える請求項１に記載の方法。
【請求項５】
前記サービス品質が、遅延値、データレート値、もしくはエラーレート値の少なくとも１つを備える請求項４に記載の方法。
【請求項６】
前記往復遅延時間が送信要求メッセージの出発時間および送信可メッセージの到着時間を使用して測定される請求項４に記載の方法。
【請求項７】
前記往復遅延時間がプローブメッセージの出発および肯定応答メッセージの到着時間を使用して測定される請求項４に記載の方法。
【請求項８】
前記第２の無線プロトコルを前記動作可能にすることが、
前記第２の無線プロトコル用の前記１つ又は複数のパラメータの少なくとも１つを前記第１の無線プロトコル用の対応するパラメータと比較することと、
前記第２の無線プロトコル用の前記１つ又は複数のパラメータの前記少なくとも１つが、前記第１の無線プロトコル用の前記対応するパラメータ以上である場合にしきい値によって前記第２の無線プロトコルを動作可能にすることと
を備える請求項１に記載の方法。
【請求項９】
前記データフローの前記通信が前記動作可能にされた第２の無線プロトコルを使用して前記ワイアレスリンクを介して前記データフローを通信することをさらに備える請求項８に記載の方法。
【請求項１０】
前記第２の無線プロトコルを前記動作可能にすることが、
前記第２の無線プロトコル用の前記１つ又は複数のパラメータの少なくとも１つをしきい値と比較することと、
前記第２の無線プロトコル用の前記１つ又は複数のパラメータの前記少なくとも１つが前記しきい値以上である場合に前記第２の無線プロトコルを動作可能にすることと
を備える請求項１に記載の方法。
【請求項１１】
前記データフローの前記通信が、前記動作可能にされた第２の無線プロトコルを使用して前記ワイアレスリンクを介して前記データフローを通信することをさらに備える請求項１０に記載の方法。
【請求項１２】
前記第２の無線プロトコルを前記動作可能にすることが、
前記第１の無線プロトコル用の前記１つ又は複数のパラメータの少なくとも１つをしきい値と比較することと、
前記第１の無線プロトコル用の前記１つ又は複数のパラメータの前記少なくとも１つが前記しきい値よりも少ない場合に前記第２の無線プロトコルを動作可能にすることと
を備える請求項１に記載の方法。
【請求項１３】
前記データフローの前記通信が前記動作可能にされた第２の無線プロトコルを使用して前記ワイアレスリンクを介して前記データフローを通信することをさらに備える請求項１２に記載の方法。
【請求項１４】
前記第２の無線プロトコルが、前記第１の無線プロトコルよりも高いデータレートをサポートすることができる請求項１に記載の方法。
【請求項１５】
前記第１のプロトコルもしくは前記第２の無線プロトコルの少なくとも１つが、
少なくとも６０ＧＨｚの周波数帯域内での動作用のワイアレスネットワークプロトコル、
ワイアレスローカルエリアネットワークをベースとしたプロトコル、
セルラーネットワークプロトコル、
Ｂｌｕｅｔｏｏｔｈプロトコル、もしくは
ＩＥＥＥ８０２．１１プロトコル
の少なくとも１つを備える請求項１に記載の方法。
【請求項１６】
第１の無線プロトコルを使用してワイアレスリンクを介してデータフローをサポートするように、ここにおいて前記第１のデータプロトコルはそれと関連する第１の周波数を有し、
１つ又は複数のパラメータに基づいて、前記データフロー用の第２の無線プロトコルを動作可能にするように、ここにおいて前記第２のデータプロトコルはそれと関連する第２の周波数を有し、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するように、
前記第１の無線プロトコルもしくは前記第２の無線プロトコルの前記選択された少なくとも１つを使用して前記ワイアレスリンクを介して前記データフローを通信するように、ここにおいてリンク状況が両方の周波数にとって満足いくものである場合、前記データフローは前記第１のおよび前記第２の周波数の両方を使用してサポートされる、
実行可能なコードを備えるコンピュータ読み取り可能媒体
を備えるコンピュータプログラム製品。
【請求項１７】
第１の無線プロトコルを使用してワイアレスリンクを介してデータフローをサポートするための手段と、ここにおいて前記第１のデータプロトコルはそれと関連する第１の周波数を有し、
１つ又は複数のパラメータに基づいて、前記データフロー用の第２の無線プロトコルを動作可能にするための手段と、ここにおいて前記第２のデータプロトコルはそれと関連する第２の周波数を有し、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するための手段と、
前記第１の無線プロトコルもしくは前記第２の無線プロトコルの前記選択された少なくとも１つを使用して前記ワイアレスリンクを介して前記データフローを通信するための手段と、を備え、ここにおいてリンク状況が両方の周波数にとって満足いくものである場合、前記データフローは前記第１のおよび前記第２の周波数の両方を使用してサポートされる、
ワイアレス通信用の装置。
【請求項１８】
通信するための前記手段が前記第１の無線プロトコルおよび前記第２の無線プロトコルの両方を使用するための手段をさらに備える請求項１７に記載の装置。
【請求項１９】
動作可能にするための手段が、前記第２の無線プロトコルを使用して通信パスを確立するためにビームトレーニングを実行するための手段をさらに備える請求項１７に記載の装置。
【請求項２０】
前記１つ又は複数のパラメータが、
少なくとも前記第１のもしくは第２の周波数のための無線リンク品質、
前記第１の無線プロトコルによってサポートされるネットワークもしくは前記第２の無線プロトコルによってサポートされるネットワークの少なくとも１つのためのネットワークローディング、
前記第１の無線プロトコルもしくは前記第２の無線プロトコルの少なくとも１つと関連するサービス品質、もしくは、
少なくとも前記第１のもしくは第２の周波数のための往復遅延時間
の少なくとも１つを備える請求項１７に記載の装置。
【請求項２１】
前記サービス品質が、遅延値、データレート値、もしくはエラーレート値の少なくとも１つを備える請求項２０に記載の装置。
【請求項２２】
前記往復遅延時間が、送信要求メッセージの出発時間および送信可メッセージの到着時間を使用して測定される請求項２０に記載の装置。
【請求項２３】
前記往復遅延時間が、プローブメッセージの出発および肯定応答メッセージの到着時間を使用して測定される請求項２０に記載の装置。
【請求項２４】
動作可能にするための前記手段が、
前記第２の無線プロトコル用の前記１つ又は複数のパラメータの少なくとも１つを前記第１の無線プロトコル用の対応するパラメータと比較するための手段と、
前記第２の無線プロトコル用の前記１つ又は複数のパラメータの前記少なくとも１つが、前記第１の無線プロトコル用の前記対応するパラメータ以上である場合にしきい値によって前記第２の無線プロトコルを動作可能にするための手段
をさらに備える請求項１７に記載の装置。
【請求項２５】
通信するための前記手段が、前記動作可能にされた第２の無線プロトコルを使用して前記ワイアレスリンクを介して前記データフローを通信するための手段をさらに備える請求項２４に記載の装置。
【請求項２６】
動作可能にするための前記手段が、
前記第２の無線プロトコル用の前記１つ又は複数のパラメータの少なくとも１つをしきい値と比較するための手段と、
前記第２の無線プロトコル用の前記１つ又は複数のパラメータの前記少なくとも１つが前記しきい値以上である場合に前記第２の無線プロトコルを動作可能にするための手段と
をさらに備える請求項１７に記載の装置。
【請求項２７】
通信するための前記手段が、前記動作可能にされた第２の無線プロトコルを使用して前記ワイアレスリンクを介して前記データフローを通信するための手段をさらに備える請求項２６に記載の装置。
【請求項２８】
動作可能にするための前記手段が、
前記第１の無線プロトコル用の前記１つ又は複数のパラメータの少なくとも１つをしきい値と比較するための手段と、
前記第１の無線プロトコル用の前記１つ又は複数のパラメータの前記少なくとも１つが前記しきい値よりも少ない場合に前記第２の無線プロトコルを動作可能にするための手段と
をさらに備える請求項１７に記載の装置。
【請求項２９】
通信するための前記手段が、前記動作可能にされた第２の無線プロトコルを使用して前記ワイアレスリンクを介して前記データフローを通信するための手段をさらに備える請求項２８に記載の装置。
【請求項３０】
前記第２の無線プロトコルが前記第１の無線プロトコルよりも高いデータレートをサポートすることができる請求項１７に記載の装置。
【請求項３１】
前記第１のプロトコルもしくは前記第２の無線プロトコルの少なくとも１つが、
少なくとも６０ＧＨｚの周波数帯域での動作用のワイアレスネットワークプロトコル、
ワイアレスローカルエリアネットワークをベースとしたプロトコル、
セルラーネットワークプロトコル、
Ｂｌｕｅｔｏｏｔｈプロトコル、もしくは、
ＩＥＥＥ８０２．１１プロトコル
の少なくとも１つを備える請求項１７に記載の装置。
【請求項３２】
アンテナと、
第１の無線プロトコルを使用してワイアレスリンクを介してデータフローをサポートするように、ここにおいて前記第１のデータプロトコルはそれと関連する第１の周波数を有し、
１つ又は複数のパラメータに基づいて、前記データフロー用の第２の無線プロトコルを動作可能にするように、ここにおいて前記第２のデータプロトコルはそれと関連する第２の周波数を有し、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するように、
構成され、前記アンテナに連結される処理システムと、
前記第１の無線プロトコルもしくは前記第２の無線プロトコルの前記選択された少なくとも１つを使用して前記ワイアレスリンクを介して前記データフローを通信するように、構成され、ここにおいてリンク状況が両方の周波数にとって満足いくものである場合、前記データフローは前記第１のおよび前記第２の周波数の両方を使用してサポートされる、
送信機と
を備える局。
【請求項３３】
第１の無線プロトコルを使用してワイアレスリンクを介してデータフローをサポートするように、ここにおいて前記第１のデータプロトコルはそれと関連する第１の周波数を有し、
１つ又は複数のパラメータに基づいて、前記データフロー用の第２の無線プロトコルを動作可能にするように、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するように
構成された処理システムと、
前記第１の無線プロトコルもしくは前記第２の無線プロトコルの前記選択された少なくとも１つを使用して前記ワイアレスリンクを介して前記データフローを通信するように、構成され、ここにおいてリンク状況が両方の周波数にとって満足いくものである場合、前記データフローは前記第１のおよび前記第２の周波数の両方を使用してサポートされる、
送信機と
を備えるワイアレス通信用の装置。
【請求項３４】
前記処理システムが前記第１の無線プロトコルおよび前記第２の無線プロトコルの両方を使用するように構成される請求項３３に記載の装置。
【請求項３５】
前記処理システムが前記第２の無線プロトコルを使用して通信パスを確立するためにビームトレーニングを実行するように構成される請求項３３に記載の装置。
【請求項３６】
前記１つ又は複数のパラメータが、
少なくとも前記第１のもしくは第２の周波数のための無線リンク品質、
前記第１の無線プロトコルによってサポートされるネットワークもしくは前記第２の無線プロトコルによってサポートされるネットワークの少なくとも１つのためのネットワークローディング、
前記第１の無線プロトコルもしくは前記第２の無線プロトコルの少なくとも１つと関連するサービス品質、もしくは、
少なくとも前記第１のもしくは第２の周波数のための往復遅延時間
の少なくとも１つを備える請求項３３に記載の装置。
【請求項３７】
前記サービス品質が、遅延値、データレート値、もしくはエラーレート値の少なくとも１つを備える請求項３６に記載の装置。
【請求項３８】
前記往復遅延時間が送信要求メッセージの出発時間および送信可メッセージの到着時間を使用して測定される請求項３６に記載の装置。
【請求項３９】
前記往復遅延時間が、プローブメッセージの出発および肯定応答メッセージの到着時間を使用して測定される請求項３６に記載の方法。
【請求項４０】
前記処理システムが、
前記第２の無線プロトコル用の前記１つ又は複数のパラメータの少なくとも１つを前記第１の無線プロトコル用の対応するパラメータと比較するように、
前記第２の無線プロトコル用の前記１つ又は複数の前記少なくとも１つが、前記第１の無線プロトコル用の前記対応するパラメータ以上である場合にしきい値によって前記第２の無線プロトコルを動作可能にするように
構成される請求項３３に記載の装置。
【請求項４１】
前記送信機が、前記動作可能にされた第２の無線プロトコルを使用して前記ワイアレスリンクを介して前記データフローを通信するようにさらに構成される請求項４０に記載の装置。
【請求項４２】
前記処理システムが、
前記第２の無線プロトコル用の前記１つ又は複数のパラメータの少なくとも１つをしきい値と比較するように、
前記第２の無線プロトコル用の前記１つ又は複数のパラメータの前記少なくとも１つが前記しきい値以上である場合に前記第２の無線プロトコルを動作可能にするように
構成される請求項３３に記載の装置。
【請求項４３】
前記送信機が、前記動作可能された第２の無線プロトコルを使用して前記ワイアレスリンクを介して前記データフローを通信するようにさらに構成される請求項４２に記載の装置。
【請求項４４】
前記処理システムが、
前記第１の無線プロトコル用の前記１つ又は複数のパラメータの少なくとも１つをしきい値と比較するように、
前記第１の無線プロトコル用の前記１つ又は複数のパラメータの前記少なくとも１つが前記しきい値よりも少ない場合に前記第２の無線プロトコルを動作可能にするように構成される請求項３３に記載の装置。
【請求項４５】
前記送信機が、前記動作可能にされた第２の無線プロトコルを使用して前記ワイアレスリンクを介して前記データフローを通信するようにさらに構成される請求項４４に記載の装置。
【請求項４６】
前記第２の無線プロトコルが、前記第１の無線プロトコルよりも高いデータレートをサポートすることができる請求項３３に記載の装置。
【請求項４７】
前記第１のプロトコルもしくは前記第２の無線プロトコルの少なくとも１つが、
少なくとも６０ＧＨｚの周波数帯域内での動作用のワイアレスネットワークプロトコル、
ワイアレスローカルエリアネットワークをベースとしたプロトコル、
セルラーネットワークプロトコル、
Ｂｌｕｅｔｏｏｔｈプロトコル、もしくは、
ＩＥＥＥ８０２．１１プロトコル
の少なくとも１つを備える請求項３３に記載の装置。
【手続補正２】
【補正対象書類名】明細書
【補正対象項目名】００６１
【補正方法】変更
【補正の内容】
【００６１】
１つ又は複数の例示的な態様で説明される機能は、ハードウェア、ソフトウェア、ファームウェア、もしくはその任意の組み合わせで実装され得る。ソフトウェアで実装される場合、機能はコンピュータ読み取り可能媒体上の１つ又は複数の命令もしくはコードとして記憶もしくは送信され得る。コンピュータ読み取り可能媒体は、ある場所から別の場所へのコンピュータプログラムの転送を容易にする任意の媒体を含む通信媒体およびコンピュータ記憶媒体の両方を含む。記憶媒体はコンピュータによってアクセスされることができる任意の利用可能な媒体であり得る。限定ではなく例として、そのようなコンピュータ読み取り可能媒体は、ＲＡＭ、ＲＯＭ、ＥＥＰＲＯＭ、ＣＤ−ＲＯＭもしくは他の光学ディスク記憶媒体、磁気ディスク記憶装置もしくは他の磁気記憶デバイス、あるいは命令の形態もしくはデータ構造で望ましいプログラムコードを記憶もしくは搬送するために使用され得、ならびにコンピュータによってアクセスされ得る任意の他の媒体を備えることができる。またいずれの接続もコンピュータ読み取り可能媒体と適切に称される。例えばソフトウェアが、ウェブサイト、サーバ、もしくは他の遠隔ソースから、同軸ケーブル、光ファイバーケーブル、ツイストペア、デジタル加入者線（ＤＳＬ）、もしくは赤外線、無線、およびマイクロ波のようなワイアレス技術を使用して送信される場合、その時同軸ケーブル、光ファイバーケーブル、ツイストペア、ＤＳＬ、もしくは赤外線、無線およびマイクロ波のようなワイアレス技術は媒体の定義の中に含まれる。本明細書で使用されるようにディスク（ｄｉｓｋ）およびディスク（ｄｉｓｃ）は、コンパクトディスク（ｃｏｍｐａｃｔ  ｄｉｓｃ）（ＣＤ）、レーザディスク（ｌａｓｅｒ  ｄｉｓｃ）、光学ディスク（ｏｐｔｉｃａｌ  ｄｉｓｃ）、デジタルバーサタイルディスク（ｄｉｇｉｔａｌ  ｖｅｒｓａｔｉｌｅ  ｄｉｓｃ）（ＤＶＤ），フロッピーディスク（ｆｌｏｐｐｙ（登録商標）  ｄｉｓｋ）およびブルーレイディスク（ｂｌｕ−ｒａｙ  ｄｉｓｃ）を含み、ここにおいてディスク（ｄｉｓｃ）がレーザを用いて光学的にデータを再現するのに対し、ディスク（ｄｉｓｋ）は大抵磁気的にデータを再現する。上記の組み合わせもコンピュータ読み取り可能媒体の範囲内に含まれるべきである。
以下に、本願出願の当初の特許請求の範囲に記載された発明を付記する。
［Ｃ１］
ワイアレス通信の方法であって、前記方法は、
第１の無線プロトコルを使用してワイアレスリンクを介してデータフローをサポートすることと、
１つ又は複数のパラメータに基づいて、前記データフロー用の第２の無線プロトコルを動作可能にすることと、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択することと、
前記第１の無線プロトコルもしくは前記第２の無線プロトコルの前記選択された少なくとも１つを使用して前記ワイアレスリンクを介して前記データフローを通信することと
を備える方法。
［Ｃ２］
前記データフローの前記通信が前記第１の無線プロトコルおよび前記第２の無線プロトコルの両方を使用することを備えるＣ１に記載の方法。
［Ｃ３］
前記第２の無線プロトコルを動作可能にすることが、前記第２の無線プロトコルを使用して通信パスを確立するためにビームトレーニングを実行することを備えるＣ１に記載の方法。
［Ｃ４］
前記１つ又は複数のパラメータが、
前記第１の無線プロトコルもしくは前記第２の無線プロトコルの少なくとも１つと関連する少なくとも１つの周波数のための無線リンク品質、
前記第１の無線プロトコルによってサポートされるネットワークもしくは前記第２の無線プロトコルによってサポートされるネットワークの少なくとも１つのためのネットワークローディング、
前記第１の無線プロトコルもしくは前記第２の無線プロトコルの少なくとも１つと関連するサービス品質、もしくは、
前記第１の無線プロトコルもしくは前記第２の無線プロトコルの少なくとも１つと関連する少なくとも１つの周波数のための往復遅延時間
の少なくとも１つを備えるＣ１に記載の方法。
［Ｃ５］
前記サービス品質が、遅延値、データレート値、もしくはエラーレート値の少なくとも１つを備えるＣ４に記載の方法。
［Ｃ６］
前記往復遅延時間が送信要求メッセージの出発時間および送信可メッセージの到着時間を使用して測定されるＣ４に記載の方法。
［Ｃ７］
前記往復遅延時間がプローブメッセージの出発および肯定応答メッセージの到着時間を使用して測定されるＣ４に記載の方法。
［Ｃ８］
前記第２の無線プロトコルを前記動作可能にすることが、
前記第２の無線プロトコル用の前記１つ又は複数のパラメータの少なくとも１つを前記第１の無線プロトコル用の対応するパラメータと比較することと、
前記第２の無線プロトコル用の前記１つ又は複数のパラメータの前記少なくとも１つが、前記第１の無線プロトコル用の前記対応するパラメータ以上である場合にしきい値によって前記第２の無線プロトコルを動作可能にすることと
を備えるＣ１に記載の方法。
［Ｃ９］
前記データフローの前記通信が前記動作可能にされた第２の無線プロトコルを使用して前記ワイアレスリンクを介して前記データフローを通信することをさらに備えるＣ８に記載の方法。
［Ｃ１０］
前記第２の無線プロトコルを前記動作可能にすることが、
前記第２の無線プロトコル用の前記１つ又は複数のパラメータの少なくとも１つをしきい値と比較することと、
前記第２の無線プロトコル用の前記１つ又は複数のパラメータの前記少なくとも１つが前記しきい値以上である場合に前記第２の無線プロトコルを動作可能にすることと
を備えるＣ１に記載の方法。
［Ｃ１１］
前記データフローの前記通信が、前記動作可能にされた第２の無線プロトコルを使用して前記ワイアレスリンクを介して前記データフローを通信することをさらに備えるＣ１０に記載の方法。
［Ｃ１２］
前記第２の無線プロトコルを前記動作可能にすることが、
前記第１の無線プロトコル用の前記１つ又は複数のパラメータの少なくとも１つをしきい値と比較することと、
前記第１の無線プロトコル用の前記１つ又は複数のパラメータの前記少なくとも１つが前記しきい値よりも少ない場合に前記第２の無線プロトコルを動作可能にすることと
を備えるＣ１に記載の方法。
［Ｃ１３］
前記データフローの前記通信が前記動作可能にされた第２の無線プロトコルを使用して前記ワイアレスリンクを介して前記データフローを通信することをさらに備えるＣ１２に記載の方法。
［Ｃ１４］
前記第２の無線プロトコルが、前記第１の無線プロトコルよりも高いデータレートをサポートすることができるＣ１に記載の方法。
［Ｃ１５］
前記第１のプロトコルもしくは前記第２の無線プロトコルの少なくとも１つが、
少なくとも６０ＧＨｚの周波数帯域内での動作用のワイアレスネットワークプロトコル、
ワイアレスローカルエリアネットワークをベースとしたプロトコル、
セルラーネットワークプロトコル、
Ｂｌｕｅｔｏｏｔｈプロトコル、もしくは
ＩＥＥＥ８０２．１１プロトコル
の少なくとも１つを備えるＣ１に記載の方法。
［Ｃ１６］
第１の無線プロトコルを使用してワイアレスリンクを介してデータフローをサポートするように、
１つ又は複数のパラメータに基づいて、前記データフロー用の第２の無線プロトコルを動作可能にするように、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するように、
前記第１の無線プロトコルもしくは前記第２の無線プロトコルの前記選択された少なくとも１つを使用して前記ワイアレスリンクを介して前記データフローを通信するように
実行可能なコードを備えるコンピュータ読み取り可能媒体
を備えるコンピュータプログラム製品。
［Ｃ１７］
第１の無線プロトコルを使用してワイアレスリンクを介してデータフローをサポートするための手段と、
１つ又は複数のパラメータに基づいて、前記データフロー用の第２の無線プロトコルを動作可能にするための手段と、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するための手段と、
前記第１の無線プロトコルもしくは前記第２の無線プロトコルの前記選択された少なくとも１つを使用して前記ワイアレスリンクを介して前記データフローを通信するための手段と
を備えるワイアレス通信用の装置。
［Ｃ１８］
通信するための前記手段が前記第１の無線プロトコルおよび前記第２の無線プロトコルの両方を使用するための手段をさらに備えるＣ１７に記載の装置。
［Ｃ１９］
動作可能にするための手段が、前記第２の無線プロトコルを使用して通信パスを確立するためにビームトレーニングを実行するための手段をさらに備えるＣ１７に記載の装置。
［Ｃ２０］
前記１つ又は複数のパラメータが、
前記第１の無線プロトコルもしくは前記第２の無線プロトコルの少なくとも１つと関連する少なくとも１つの周波数のための無線リンク品質、
前記第１の無線プロトコルによってサポートされるネットワークもしくは前記第２の無線プロトコルによってサポートされるネットワークの少なくとも１つのためのネットワークローディング、
前記第１の無線プロトコルもしくは前記第２の無線プロトコルの少なくとも１つと関連するサービス品質、もしくは、
前記第１の無線プロトコルもしくは前記第２の無線プロトコルの少なくとも１つと関連する少なくとも１つの周波数のための往復遅延時間
の少なくとも１つを備えるＣ１７に記載の装置。
［Ｃ２１］
前記サービス品質が、遅延値、データレート値、もしくはエラーレート値の少なくとも１つを備えるＣ２０に記載の装置。
［Ｃ２２］
前記往復遅延時間が、送信要求メッセージの出発時間および送信可メッセージの到着時間を使用して測定されるＣ２０に記載の装置。
［Ｃ２３］
前記往復遅延時間が、プローブメッセージの出発および肯定応答メッセージの到着時間を使用して測定されるＣ２０に記載の装置。
［Ｃ２４］
動作可能にするための前記手段が、
前記第２の無線プロトコル用の前記１つ又は複数のパラメータの少なくとも１つを前記第１の無線プロトコル用の対応するパラメータと比較するための手段と、
前記第２の無線プロトコル用の前記１つ又は複数のパラメータの前記少なくとも１つが、前記第１の無線プロトコル用の前記対応するパラメータ以上である場合にしきい値によって前記第２の無線プロトコルを動作可能にするための手段
をさらに備えるＣ１７に記載の装置。
［Ｃ２５］
通信するための前記手段が、前記動作可能にされた第２の無線プロトコルを使用して前記ワイアレスリンクを介して前記データフローを通信するための手段をさらに備えるＣ２４に記載の装置。
［Ｃ２６］
動作可能にするための前記手段が、
前記第２の無線プロトコル用の前記１つ又は複数のパラメータの少なくとも１つをしきい値と比較するための手段と、
前記第２の無線プロトコル用の前記１つ又は複数のパラメータの前記少なくとも１つが前記しきい値以上である場合に前記第２の無線プロトコルを動作可能にするための手段と
をさらに備えるＣ１７に記載の装置。
［Ｃ２７］
通信するための前記手段が、前記動作可能にされた第２の無線プロトコルを使用して前記ワイアレスリンクを介して前記データフローを通信するための手段をさらに備えるＣ２６に記載の装置。
［Ｃ２８］
動作可能にするための前記手段が、
前記第１の無線プロトコル用の前記１つ又は複数のパラメータの少なくとも１つをしきい値と比較するための手段と、
前記第１の無線プロトコル用の前記１つ又は複数のパラメータの前記少なくとも１つが前記しきい値よりも少ない場合に前記第２の無線プロトコルを動作可能にするための手段と
をさらに備えるＣ１７に記載の装置。
［Ｃ２９］
通信するための前記手段が、前記動作可能にされた第２の無線プロトコルを使用して前記ワイアレスリンクを介して前記データフローを通信するための手段をさらに備えるＣ２８に記載の装置。
［Ｃ３０］
前記第２の無線プロトコルが前記第１の無線プロトコルよりも高いデータレートをサポートすることができるＣ１７に記載の装置。
［Ｃ３１］
前記第１のプロトコルもしくは前記第２の無線プロトコルの少なくとも１つが、
少なくとも６０ＧＨｚの周波数帯域での動作用のワイアレスネットワークプロトコル、
ワイアレスローカルエリアネットワークをベースとしたプロトコル、
セルラーネットワークプロトコル、
Ｂｌｕｅｔｏｏｔｈプロトコル、もしくは、
ＩＥＥＥ８０２．１１プロトコル
の少なくとも１つを備えるＣ１７に記載の装置。
［Ｃ３２］
アンテナと、
第１の無線プロトコルを使用してワイアレスリンクを介してデータフローをサポートするように、
１つ又は複数のパラメータに基づいて、前記データフロー用の第２の無線プロトコルを動作可能にするように、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するように、
構成され、前記アンテナに連結される処理システムと、
前記第１の無線プロトコルもしくは前記第２の無線プロトコルの前記選択された少なくとも１つを使用して前記ワイアレスリンクを介して前記データフローを通信するように
構成された送信機と
を備える局。
［Ｃ３３］
第１の無線プロトコルを使用してワイアレスリンクを介してデータフローをサポートするように、
１つ又は複数のパラメータに基づいて、前記データフロー用の第２の無線プロトコルを動作可能にするように、
前記ワイアレスリンクを介して前記データフローを維持しながら前記ワイアレスリンクを介して前記データフローをサポートするために前記第１の無線プロトコルもしくは前記第２の無線プロトコルの少なくとも１つを選択するように
構成された処理システムと、
前記第１の無線プロトコルもしくは前記第２の無線プロトコルの前記選択された少なくとも１つを使用して前記ワイアレスリンクを介して前記データフローを通信するように
構成された送信機と
を備えるワイアレス通信用の装置。
［Ｃ３４］
前記処理システムが前記第１の無線プロトコルおよび前記第２の無線プロトコルの両方を使用するように構成されるＣ３３に記載の装置。
［Ｃ３５］
前記処理システムが前記第２の無線プロトコルを使用して通信パスを確立するためにビームトレーニングを実行するように構成されるＣ３３に記載の装置。
［Ｃ３６］
前記１つ又は複数のパラメータが、
前記第１の無線プロトコルもしくは前記第２の無線プロトコルの少なくとも１つと関連する少なくとも１つの周波数のための無線リンク品質、
前記第１の無線プロトコルによってサポートされるネットワークもしくは前記第２の無線プロトコルによってサポートされるネットワークの少なくとも１つのためのネットワークローディング、
前記第１の無線プロトコルもしくは前記第２の無線プロトコルの少なくとも１つと関連するサービス品質、もしくは、
前記第１の無線プロトコルもしくは前記第２の無線プロトコルの少なくとも１つと関連する少なくとも１つの周波数のための往復遅延時間
の少なくとも１つを備えるＣ３３に記載の装置。
［Ｃ３７］
前記サービス品質が、遅延値、データレート値、もしくはエラーレート値の少なくとも１つを備えるＣ３６に記載の装置。
［Ｃ３８］
前記往復遅延時間が送信要求メッセージの出発時間および送信可メッセージの到着時間を使用して測定されるＣ３６に記載の装置。
［Ｃ３９］
前記往復遅延時間が、プローブメッセージの出発および肯定応答メッセージの到着時間を使用して測定されるＣ３６に記載の方法。
［Ｃ４０］
前記処理システムが、
前記第２の無線プロトコル用の前記１つ又は複数のパラメータの少なくとも１つを前記第１の無線プロトコル用の対応するパラメータと比較するように、
前記第２の無線プロトコル用の前記１つ又は複数の前記少なくとも１つが、前記第１の無線プロトコル用の前記対応するパラメータ以上である場合にしきい値によって前記第２の無線プロトコルを動作可能にするように
構成されるＣ３３に記載の装置。
［Ｃ４１］
前記送信機が、前記動作可能にされた第２の無線プロトコルを使用して前記ワイアレスリンクを介して前記データフローを通信するようにさらに構成されるＣ４０に記載の装置。
［Ｃ４２］
前記処理システムが、
前記第２の無線プロトコル用の前記１つ又は複数のパラメータの少なくとも１つをしきい値と比較するように、
前記第２の無線プロトコル用の前記１つ又は複数のパラメータの前記少なくとも１つが前記しきい値以上である場合に前記第２の無線プロトコルを動作可能にするように
構成されるＣ３３に記載の装置。
［Ｃ４３］
前記送信機が、前記動作可能された第２の無線プロトコルを使用して前記ワイアレスリンクを介して前記データフローを通信するようにさらに構成されるＣ４２に記載の装置。
［Ｃ４４］
前記処理システムが、
前記第１の無線プロトコル用の前記１つ又は複数のパラメータの少なくとも１つをしきい値と比較するように、
前記第１の無線プロトコル用の前記１つ又は複数のパラメータの前記少なくとも１つが前記しきい値よりも少ない場合に前記第２の無線プロトコルを動作可能にするように構成されるＣ３３に記載の装置。
［Ｃ４５］
前記送信機が、前記動作可能にされた第２の無線プロトコルを使用して前記ワイアレスリンクを介して前記データフローを通信するようにさらに構成されるＣ４４に記載の装置。
［Ｃ４６］
前記第２の無線プロトコルが、前記第１の無線プロトコルよりも高いデータレートをサポートすることができるＣ３３に記載の装置。
［Ｃ４７］
前記第１のプロトコルもしくは前記第２の無線プロトコルの少なくとも１つが、
少なくとも６０ＧＨｚの周波数帯域内での動作用のワイアレスネットワークプロトコル、
ワイアレスローカルエリアネットワークをベースとしたプロトコル、
セルラーネットワークプロトコル、
Ｂｌｕｅｔｏｏｔｈプロトコル、もしくは、
ＩＥＥＥ８０２．１１プロトコル
の少なくとも１つを備えるＣ３３に記載の装置。
【国際調査報告】
2013511901.tif 000010
2013511901.tif 000011
2013511901.tif 000012
2013511901.tif 000013
2013511901.tif 000014